(57)【特許請求の範囲】
【請求項１】
Ｈ．３２３規格に従うモビリティシステムにおいて、
それぞれにＨ．３２３モバイル端末のゾーンが対応づけられた複数のゲートキーパーであって、自らに対応するゾーンをそれぞれが管理する複数のゲートキーパーと、
各ゲートキーパーに対応して設けられ、対応するゲートキーパーとの通信に基づいて、前記Ｈ．３２３用モバイル端末の位置情報を記録する位置用データベースと、
を備え、
前記複数のゲートキーパーのうちいずれかはホームゲートキーパーであって、自らに対応するゾーンに前記Ｈ．３２３モバイル端末がある場合の他、他のゲートキーパーに対応するゾーンに前記Ｈ．３２３モバイル端末がある場合においても、前記Ｈ．３２３モバイル端末を管理するホームゲートキーパーであり、
前記複数のゲートキーパーのうち前記ホームゲートキーパーでないものを外部ゲートキーパーとし、当該外部ゲートキーパーに対応するゾーンを外部ゾーンとして、
前記Ｈ．３２３モバイル端末が第１の外部ゾーンから第２の外部ゾーンに移動した場合に、前記第１の外部ゾーンが対応づけられた第１の外部ゲートキーパー、および、前記第２の外部ゾーンが対応づけられた第２の外部ゲートキーパーは、それぞれに対応して設けられた位置用データベースの記録内容を更新する外部位置更新を行い、
前記外部位置更新は、
前記第１の外部ゲートキーパーが、前記第２の外部ゲートキーパーとの通信に基づいて、自らに対応する位置用データベースにおける前記Ｈ．３２３用モバイル端末の位置情報の記録を解除し、前記第２の外部ゲートキーパーが、自らに対応する位置用データベースに前記Ｈ．３２３用モバイル端末の位置情報を記録する処理であり、
前記ホームゲートキーパーは、前記第２の外部ゲートキーパーとの通信に基づいて、自らに対応する位置用データベースに前記Ｈ．３２３用モバイル端末の位置情報を記録する気付位置更新を行うことを特徴とするモビリティシステム。
【請求項２】
Ｈ．３２３規格に従うモビリティシステムにおいて、
それぞれにＨ．３２３モバイル端末のゾーンが対応づけられた複数のゲートキーパーであって、自らに対応するゾーンをそれぞれが管理する複数のゲートキーパーと、
各ゲートキーパーに対応して設けられ、対応するゲートキーパーとの通信に基づいて、前記Ｈ．３２３用モバイル端末の位置情報を記録する位置用データベースと、
を備え、
前記複数のゲートキーパーのうちいずれかはホームゲートキーパーであって、自らに対応するゾーンに前記Ｈ．３２３モバイル端末がある場合の他、他のゲートキーパーに対応するゾーンに前記Ｈ．３２３モバイル端末がある場合においても、前記Ｈ．３２３モバイル端末を管理するホームゲートキーパーであり、
前記複数のゲートキーパーのうち前記ホームゲートキーパーでないものを外部ゲートキーパーとし、当該外部ゲートキーパーに対応するゾーンを外部ゾーンとして、
前記Ｈ．３２３モバイル端末が第１の外部ゾーンから第２の外部ゾーンに移動した場合に、前記第１の外部ゾーンが対応づけられた第１の外部ゲートキーパー、および、前記第２の外部ゾーンが対応づけられた第２の外部ゲートキーパーは、それぞれに対応して設けられた位置用データベースの記録内容を更新する外部位置更新を試み、
前記外部位置更新は、
前記第１の外部ゲートキーパーが、前記第２の外部ゲートキーパーとの通信に基づいて、自らに対応する位置用データベースにおける前記Ｈ．３２３用モバイル端末の位置情報の記録を解除し、前記第２の外部ゲートキーパーが、自らに対応する位置用データベースに前記Ｈ．３２３用モバイル端末の位置情報を記録する処理であり、
前記ホームゲートキーパーは、前記第２の外部ゲートキーパーとの通信に基づいて、自らに対応する位置用データベースに前記Ｈ．３２３用モバイル端末の位置情報を記録する気付位置更新を行い、
前記第１の外部ゲートキーパーが前記第２の外部ゲートキーパーとの通信を行わなかったことにより前記外部位置更新が完了しなかった場合に、前記第１の外部ゲートキーパーは、前記ホームゲートキーパーとの通信に基づいて、自らに対応する位置用データベースにおける前記Ｈ．３２３用モバイル端末の位置情報の記録を解除し、前記外部位置更新を完了させることを特徴とするモビリティシステム。
【請求項３】
請求項１または請求項２に記載のモビリティシステムにおいて、
前記外部位置更新および前記気付位置更新が行われた後に、前記Ｈ．３２３モバイル端末に対する呼が前記ホームゲートキーパーに送られたときは、前記ホームゲートキーパーは、自らに対応する位置用データベースに記録されている位置情報に応じた気付アドレスに対し、呼を送ることを特徴とするモビリティシステム。
【請求項４】
請求項１から請求項３のいずれか１項に記載のモビリティシステムにおいて、
前記外部位置更新および前記気付位置更新が行われた後に、前記Ｈ．３２３モバイル端末に対する呼が前記ホームゲートキーパーに送られたときは、前記ホームゲートキーパーは、自らに対応する位置用データベースに記録されている位置情報に応じた気付アドレスを呼の送り元に送信することを特徴とするモビリティシステム。
【請求項５】
請求項１から請求項４のいずれか１項に記載のモビリティシステムにおいて、
前記複数のゲートキーパーのそれぞれに少なくとも１つが設けられ、各ゲートキーパーに通信接続される移動交換センタと、
各移動交換センタに少なくとも１つが設けられ、各移動交換センタに通信接続されると共に、前記Ｈ．３２３モバイル端末と無線通信接続される基地局と、
を備えることを特徴とするモビリティシステム。
【発明の詳細な説明】
【０００１】
【発明の属する技術分野】
本発明は一般に、オーディオおよびビデオのデータストリームを送信するためのＨ．３２３規格に関し、詳細には、パケットベースのネットワーク上のサービスを含むマルチメディア通信システムにおけるモビリティをサポートするためにＨ．３２３規格を拡張することに関する。
【０００２】
【従来の技術】
本出願は、１９９９年９月１６日に出願された米国仮出願第60/154,212号、およびRadhika R. Royが発明した２つの同時出願された特許出願「H.323 Mobility Protorol for Terminal User and Service Mobility」および「Computer Readable Medium for H.323 Mobility Architecture for Terminal User and Service Mobility」の利益を請求する。この仮出願は、参照することによって全面的に本願に組み込まれる。
【０００３】
本来、国際電気通信連合（ＩＴＵ）はＨ．３２０の拡張規格としてＨ．３２３を開発した。このＨ．３２０は、ＩＳＤＮおよび他の回路交換ネットワーク上のテレビ会議およびサービスを指向している。Ｈ．３２０は１９９０年に批准され、企業はローカルエリアネットワーク（ＬＡＮ）およびＬＡＮゲートウェイから広域ネットワーク（ＷＡＮ）まで含むように自分たちのネットワークを拡張した。次に、Ｈ．３２３はＨ．３２０の拡張を超えて拡張されたため、現在Ｈ．３２３は概して企業イントラネットおよびパケット交換ネットワークをカバーしている。ＩＴＵは、Ｈ．３２３の記号のもとで、パケットベースのネットワーク（ＰＢＮ）上のマルチメディア通信に対する一組の規格を発行した。この規格には、データチャネル、モニタリングチャネル、およびコントロールチャネルについての規格が含まれている。この規格には、リアルタイムのオーディオ、ビデオ、および／またはデータ通信の規定が含まれている。この規格によって定義されたＨ．３２３の構成要素には、端末、ゲートウェイ、ゲートキーパー、およびマルチポイント制御ユニット（ＭＣＵ）が含まれる。端末は、リアルタイムの通信を行い、オーディオ／音声の通信をサポートする必要があり、また必要に応じてデータおよびビデオをサポートする。最も一般的なＨ．３２３端末は、パソコン（ＰＣ）上で動作するアプリケーションである。Ｈ．３２３ゲートウェイは、Ｈ．３２３のクライアントにサービスを提供すると共に、Ｈ．３２３端末と回路交換ネットワーク内の電話機との間の通信のような、非Ｈ．３２３エンティティとの通信を可能にする。ゲートキーパーは、Ｈ．３２３のエンドポイントに対して、例えば、アドレス変換や帯域幅管理等の呼制御サービスを提供する。ゲートキーパーはＨ．３２３規格ではオプションであるが、ゲートキーパーが存在する場合は、エンドポイントはゲートキーパーのサービスを使用しなければならない。このＨ．３２３規格は、ゲートキーパーが使用されている場合、ゲートキーパーが提供しなければならないある指定のサービスを規定する。マルチポイント制御ユニットは、会議のリソースを管理することによって３つ以上のエンドポイント間の会議に対するサポートを提供し、どのオーディオまたはビデオコーデックを使用するかを規定するためのエンドポイント間の交渉を管理し、またメディアストリームを管理できる。このＨ．３２３規格は、どのようにオーディオおよびビデオ会議システムがパケット交換ネットワークに対して通信するかを定義し、ポイントツーポイント会議およびブロードキャスト／マルチキャスト／ユニキャスト（broadcast/multicast/unicast）によるマルチポイント会議に対する呼制御および管理業務を定義し、メディアトラフィック、帯域幅およびユーザの参加を管理するためにＬＡＮ管理者が使用する集中したゲートキーパーについてのＱｏＳ問題に言及し、また、呼がＬＡＮからＨ．３２ｘ規格ベースの端末のみならず公衆電話交換網（ＰＳＴ）に接続することを可能にする機能を記述している。
【０００４】
Ｈ．３２３規格のバージョン２では、インターネット技術特別調査委員会（ＩＥＴＦ）からのリアルタイム伝送プロトコル（ＲＴＰ／ＲＴＣＰ）規格に従って、ビデオおよびオーディオのデータストリームは圧縮され、パケット化されて、テレビ会議やインターネット上の他の通信をサポートするために使用される。パケットにはデータやヘッダ情報が含まれ、この情報によって、パケット損失の検出、パケットステータスの検出、およびパケットの同期が容易になる。ビデオのデータストリームは、Ｈ．２６１，Ｈ２６２，またはＨ２６３プロトコルを使用することができる。オーディオのデータストリームは、Ｇ．７１１，Ｇ．７２２，Ｇ．７２３．１，Ｇ．７２８，またはＧ．７２９プロトコルを使用することができる。一般に、Ｈ．３２３規格は、例えば、インターネットのようにＴＣＰ／ＩＰを利用するネットワーク内の遠隔会議をサポートしている。
【０００５】
【発明が解決しようとする課題】
ここで、Ｈ．３２３システムは相互運用性をサポートし、ユーザ、端末、およびサービスは固定されていると想定している。しかしながらＨ．３２３端末をあるネットワークから別のネットワークに移動する場合、その接続ポイント、すなわちネットワークのアドレスは変わってしまう。この状態では、モバイル端末のアドレスは、新しい呼を設定するかまたは同じ呼を継続するかを決める必要がある。このため、端末、ユーザおよびサービスのモビリティを提供するＨ．３２３用モビリティアーキテクチャが要望されている。
【０００６】
【課題を解決するための手段】
本発明は、パケットベースのネットワーク上のリアルタイムモバイルマルチメディア通信および会議用のＨ．３２３ベースのモビリティアーキテクチャを提供する。これらのパケットベースのネットワークでは、複数のＨ．３２３用モビリティゲートキーパーが、必要に応じて、マルチキャスト／ユニキャストのアドレスに、モビリティゲートキーパーの宣言（Mobility Gatekeeper Advertisement）を定期的にマルチキャスト、ブロードキャストおよび／またはユニキャストすることによって、Ｈ．３２３用モビリティサービスのアベイラビリティの通知を行う。必要な場合、移動の端末／ノード／エンティティも、モビリティサービスを提供するゲートキーパーをシークするディスカバリー・メッセージ（discovery message）をマルチキャスト、ブロードキャスト、および／またはユニキャストすることができる。このプロトコルは、移動の端末／ノード／エンティティによって、ゲートキーパーがその位置を所定のゾーンまたはドメイン内で変えたかどうかを検出するステップを含む。ここで、ゾーンおよび（管理）ドメインは、ＩＴＵ−Ｔ勧告Ｈ．３２３およびＨ．２２５．０に基づいて定義されている。ドメインが１つ以上のゾーンからなるとき、それ自体がゲートキーパーによって管理されるようにゾーンがアブストラクションされる。ドメインを管理者（administration；例えば、インターネットのサービスプロバイダ（ＩＳＰ）、企業、キャリヤーネットワーク（carrier network）など）によって管理することができる。ドメイン間の通信はボーダーエレメント（border element；ＢＥ）を介して行われる。ここで、ボーダーエレメントはゲートキーパーとも通信することができる。
【０００７】
本発明は、パケットベースのネットワーク上のリアルタイムモバイルマルチメディア通信および会議に対するプロトコルを備えたＨ．３２３ベースのモビリティシステムを提供する。これらのパケットベースのネットワークでは、複数のＨ．３２３用モビリティゲートキーパーが、マルチキャストのアドレスに、モビリティゲートキーパーの宣言（Mobility Gatekeeper Advertisement）を周期的にブロードキャスト、マルチキャスト、またはユニキャストすることによって、Ｈ．３２３用モビリティサービスのアベイラビリティの通知を行う。この実施態様においては、本発明は少なくとも１つのＨ．３２３用モバイル端末／ノード／エンティティ、少なくとも１つの基地局、ホーム位置用データベース、第１のビジター位置用データベース、第１の移動交換センタ、第２のビジター位置用データベース、および第２の移動交換センタを含む。
【０００８】
この少なくとも１つのＨ．３２３用モバイル端末、ノードまたはエンティティは、それが属する位置のエリア、セル、またはゾーン内で、Ｈ．３２３用モビリティサービスをサポートする複数のＨ．３２３用モビリティゲートキーパーのうちから少なくとも１つのＨ．３２３用モビリティゲートキーパーを検出したときに、Ｈ．３２３用の呼をブロードキャスト、マルチキャストまたはユニキャストするように設定され、このモバイル端末、ノードまたはエンティティが第１の位置のエリア／セル／ゾーンから第２の位置のエリア／セル／ゾーンに移動すると、第１の移動交換センタを経由して、第１の位置のエリア／セル／ゾーン内のホーム位置用データベースを持つデータベースが参照されて、位置登録が行われ、またモバイルＨ．３２３ベースの呼が確立される。
【０００９】
セルラー方式の無線ネットワーク環境の場合では、第１／第２の位置のエリア、セル、またはゾーン内の位置情報およびＨ．３２３用の呼を受信および／または送信するために、少なくとも１つの基地局が配置されると共に、モバイル端末、ノードまたはエンティティについての位置情報を第１および／または第２の移動交換センタから受信するためにまた移動交換センタに送信するために使用され、かつ被呼出人のモバイル／非モバイル端末／ノード／エンティティに転送するために、第１／第２の移動交換センタからの呼を受信するためおよび第１／第２の移動交換センタに呼を転送するために使用される。ホーム位置用データベースは、モバイル端末、ノードまたはエンティティの位置情報を受信および記録し、セルラー方式の無線ネットワーク環境の場合では、この位置情報を第１の移動交換センタを経由して第１のビジター位置用データベースに送信するように設定される。そして、Ｈ．３２３用モバイル端末／ノード／エンティティが第１の位置のエリア、セル、またはゾーンから第２の位置のエリア、セル、またはゾーンに移動すると、更新位置情報を受信し、かつこの更新位置情報を、第２の位置のエリア、セル、またはゾーンのための第２の移動交換センタを経由して、第２のビジター位置用データベースに送るために、このホーム位置用データベースが利用される。
【００１０】
第１のビジター位置用データベースは、第１の移動交換センタを経由して位置情報を受信するために配置され、この位置情報を記録し更新するために使用される。
【００１１】
再び、セルラー方式の無線ネットワーク環境の場合について説明すると、第１の移動交換センタは、被呼出人のモバイル／非モバイル端末、ノード、またはエンティティが第１の位置のエリア、セル、またはゾーン内にある場合の位置情報を受信し認識するために配置され、モバイル端末／ノード／エンティティから、第１の位置のエリア／セル／ゾーン内の被呼出人の基地局を経由した被呼人のモバイル／非モバイル端末、ノード、またはエンティティへの呼を設定するために使用される。
【００１２】
第２のビジター位置用データベースは、第２の移動交換センタを経由して位置情報を受信するために配置され、この位置情報を記録し更新するために使用される。
【００１３】
第２の移動交換センタは、被呼出人のモバイルまたは非モバイルの端末やノードやエンティティ（モバイル／非モバイル端末／ノード／エンティティ）が第２の位置のエリア、セル、またはゾーン内にある場合の位置情報を受信し認識するために配置され、モバイル端末、ノード、またはエンティティから、第２の位置のエリア、セル、またはゾーン内の被呼出人の基地局を経由した被呼出人のモバイル／非モバイル端末、ノード、またはエンティティへの呼を設定する。
【００１４】
ホーム位置用データベースは、一般に、モバイル端末／ノード／エンティティについての登録情報を第１の移動交換センタを経由して第１のビジター位置用データベースに送ることによって、モバイル端末／ノード／エンティティを登録する。このモバイル端末／ノード／エンティティが第２の位置のエリア／セル／ゾーンに入ると、モバイル端末／ノード／エンティティは、位置更新メッセージをブロードキャスト／マルチキャスト／ユニキャストすることによってローカル登録を実行することができる。この位置更新メッセージは、基地局によって第２の移動交換センタに転送される。この第２の移動交換センタは、登録クエリを第２のビジター位置用データベースに送る。ここで、この第２のビジター位置用データベースは、モバイル端末／ノード／エンティティの位置情報を更新し、この位置情報をホーム位置用データベースに送る。更新される位置情報を受け取ると、このホーム位置用データベースは、登録確認の応答を第２のビジター位置用データベースに送ると共に、登録取消メッセージを第１のビジター位置用データベースに送り、そしてこの第１のビジター位置用データベースは、この登録取消メッセージの受け取りを確認する。
【００１５】
ビジター位置用データベースのアドレスは、一般に、モバイル端末／ノード／エンティティの移動局識別番号に基づいてモバイル端末／ノード／エンティティに対して決定され、ホーム位置用データベースに送られる。このホーム位置用データベースでは移動が行われると、モバイル端末／ノード／エンティティは第２のビジター位置用データベースに属することになる。
【００１６】
第１の位置のエリア／セル／ゾーン内のモバイル端末／ノード／エンティティが、第１の位置のエリア／セル／ゾーン内の基地局を経由して第２の位置のエリア／セル／ゾーン内の被呼出人のモバイル／非モバイル端末／ノード／エンティティに対して呼を開始し、この基地局が呼を第１の移動交換センタに転送し、この第１の移動交換センタが被呼出人のモバイル／非モバイル端末／ノード／エンティティのアドレスを確定し、被呼出人のモバイル／非モバイル端末／ノード／エンティティの被呼出人のビジター位置用データベースを決定するホーム位置用データベースに対して位置要求を送信し、経路（route）要求メッセージを被呼出人のモバイル／非モバイル端末／ノード／エンティティのために動作する被呼出人側の移動交換センタに送信する。そして、被呼出人の移動交換センタが一時的なローカルディレクトリ番号をモバイル端末／ノード／エンティティに割り当てると共に、ホーム登録用データベースにこの一時的なローカルディレクトリ番号と共に応答を送り、このホーム登録用データベースが一時的なローカルディレクトリ番号を第１の移動交換センタに送り、かつこの第１の移動交換センタが被呼出人の移動交換センタに呼の設定を要求すると、モバイルＨ．３２３ベースの呼を設定できる。移動交換センタは、ＩＰルータまたはＡＴＭ交換などのように、パケット交換することができるということができる。
【００１７】
無線ＬＡＮ／ワイヤーライン（wire-line）ＬＡＮ／ワイヤーラインネットワークの環境の場合、Ｈ．３２３用移動エンティティは、前述したように通信を行うが、基地局および基地局交換センタは必ずしも必要でない。
【００１８】
望まれる場合、複数のＨ．３２３用モビリティゲートキーパーの少なくとも１つは、モバイルのエンティティやユーザの認証を行うことができる。Ｈ．３２３用モビリティサービスは、少なくとも、アドレス変換、承認制御、帯域幅制御、およびゾーン管理を備えるように選択することができる。
【００１９】
【発明の実施の形態】
本発明は、パケットベースのネットワーク上のサービスを備えたマルチメディア通信システム内のモビリティをサポートする拡張したＨ．３２３規格を提供する。現在のＨ．３２３規格は当業者には周知であり、参照することによって本願に組み込まれる。本発明は、拡張Ｈ．３２３をサポートし、独立の方法で伝送におけるモビリティをサポートし、モビリティをサポートするために必要な、新しいＨ．３２３用のメッセージおよび／またはメッセージの要素を創り出し、また無線／ＰＳＴＮ−ＩＰなどの特定のネットワーク環境上でＨ．３２３用モビリティを実行するための相互運用性を確保する。本発明は、モビリティに適応するために、現存のＨ．２２５．０（Ｈ．３２３）メッセージに対する拡張性を提供する。モバイルエンティティが、ある場所から他の場所に移動するので、メッセージはモビリティのバインディングを容易にするために設けられる。Ｈ．３２３用モビリティのサービスは、セルラー方式の無線／ＰＳＴＮやモバイルＰなどの伝統的なサービスから、モビリティサービスに変化している。このモビリティサービスでは、相互に作用する機能（interworking function；ＩＷＦ）を含むようにＩＥＴＦの移動プロトコルを修正して、モバイルＨ．３２３用システムと無線ＰＳＴＮ移動ネットワークとの間の相互運用性を提供することができる。
【００２０】
Ｈ．３２３を実装しているモバイルユニットが、Ｈ．３２３ベースの接続ポイント（例えば、ネットワークの接続ポイント、ゾーン、ドメイン）と一緒に、例えば、ＩＰサブネットなどのパケットベースのネットワークを使用する場合、モビリティ情報はゲートキーパーを経由して管理される。ゲートキーパーは、送信側および受信側のいずれにも存在できる。必要な場合、ゲートキーパーは、帯域幅管理、アドレス変換、ＩＰアドレスに対するＬＡＮのエイリアスのマップ、および送信側と受信側との間のステータス情報の交換のためのリアルタイム伝送制御プロトコル（ＲＴＣＰ）の設定を処理することもできる。Ｈ．２４５用制御チャネルは、例えば、データチャネルのオープンおよびクローズなどの制御機能を提供するように設定される。
【００２１】
Ｈ．３２３用モビリティの機能的要求事項は、以下のようにＨ．３２３のアプリケーションレベルで主に記載されている。
【００２２】
端末モビリティ：固定式またはモバイルＨ．３２３用端末は、Ｈ．３２３用移動ユーザに到達（reach）できなければならない。またこの逆も同様である。移動端末が異なる接続ポイントまたはネットワークのアドレスを使ってある場所から他の場所に移動しても、通話が継続される。望むならば、Ｈ．３２３用移動ユーザ間の通信も設けられる。ゾーン内、ゾーン間（ドメイン内）および／またはドメイン間のハンドオフがサポートされる。ゾーン内、ゾーン間（ドメイン内）および／またはドメイン間のユーザがサポートされる。
【００２３】
ユーザモビリティ：Ｈ．３２３のユーザは、同じ識別子を維持し、またユーザが移動したとしても、同一のまたは、望む場合、異なるサービスを受けることができる。サービスプロバイダは、同じ識別子を維持しているユーザに切り換えることができる。
【００２４】
モビリティ管理：Ｈ．３２３用モビリティの管理は、登録、呼の確立、ローミング、およびハンドオフを提供するようにサポートされる。
【００２５】
ＱｏＳサポート：ＱｏＳサービスは、Ｈ．３２３のユーザに対して、ゾーン内、ゾーン間（ドメイン内）および／またはドメイン間のローミングの間に維持される。
【００２６】
認証およびセキュリティ：認証およびセキュリティのメカニズムは、Ｈ．３２３モビリティをサポートして提供される。
【００２７】
一般に、ゲートキーパー（ＧＫ）はゾーンを管理する。ゾーンは、一般に、端末、ゲートウェイ（ＧＷ）、相互に作用する機能（ＩＷＦ）、またはマルチプルコントローラ（ＭＣ）などのＨ．３２３用エンティティの集合体である。それぞれのＨ．３２３用エンティティは、固有のネットワークの接続ポイントすなわちアドレスを有しており、それぞれのゾーンは、ＧＫの管理のもとで、多くのネットワークの接続ポイント、サブネット、またはアドレスを含むことができる。例えば、ゾーンは、ＩＰ，ＡＴＭまたは他のネットワークの場合、複数のネットワークを持つことができる。ユーザまたは端末がゾーン内で移動すると、そのネットワークの接続またはサブネットワークのアドレスも変化する。
【００２８】
ドメインは単一のまたは複数のゾーンから構成できる。このため、Ｈ．３２３用モビリティは、ゾーンおよびドメインによってもアドレス指定される。Ｈ．３２３のユーザ、エンティティ、または端末がゾーンの境界を超える場合、Ｈ．３２３のゲートキーパーが所定のゾーン内のすべてのＨ．３２３用エンティティの登録を管理しているため、そのような変化はＨ．３２３の接続ポイントの変更と言われる。さらに、ユーザまたは端末があちこちに移動しても、呼を実行している間および複数の呼の間でＨ．３２３用サービスは保証される。
【００２９】
ここで使用される用語は次の通りである。
【００３０】
ユーザモビリティ：ユーザが異なる端末または端末のタイプ上で、同一のユーザ識別子を維持する能力。
【００３１】
端末モビリティ：端末が位置、ネットワークの接続ポイント、およびＨ．３２３用接続ポイントを変更しても、なお通信できる能力。
【００３２】
不連続端末モビリティまたはローミング：端末が不連続に物理的な位置の変更を行う能力。すなわち、メディアストリームがアクティブでない間に位置を変更する能力。
【００３３】
連続した端末モビリティまたはハンドオーバ：メディアストリームがアクティブの間に、端末が位置を変更する能力。そのような変更はシームレス（すなわち、データの損失がない）か、またはシームレスでない（すなわち、いくつかのメディアストリームが失われる）場合のいずれでもありうる。
【００３４】
サービスモビリティ：ユーザがユーザモビリティおよび端末モビリティとは別に特定のサービスを得る能力である。すなわち、この場合、外部ネットワーク（foreign network）は、サービスに必要なパラメータを取得する手段を備える。
【００３５】
ネットワークの接続ポイント：ネットワークに対するＨ．３２３用エンティティ、例えば、端末、ＭＣＵ、ＭＣ、および／またはＧＷの接続または、例えば、ＩＰアドレスなどのアドレスである。同様に、ＡＴＭおよび他のネットワークについてのネットワークの接続ポイントも定義できる。それぞれのＨ．３２３用エンティティは、ネットワーク上のＨ．３２３用エンティティを一意的に識別するために、少なくとも１つのネットワークアドレスを有している。このアドレスは、エンドポイントが配置されているネットワーク環境に対して固有である。ネットワーク環境が異なれば、ネットワークのアドレスフォーマットが異なることがある。Ｈ．３２３によって、エンドポイントは同じ呼の中の異なるチャネルに対して異なるネットワークアドレスを使用することができる。
【００３６】
Ｈ．３２３用接続ポイント：Ｈ．３２３用端末、ＧＷ（ＩＷＦ），ＭＣまたはＭＣＵをデータベース化する。ゲートキーパーである。
【００３７】
モバイルエンティティ：その接続ポイント（ネットワークおよび／またはＨ．３２３用接続ポイント）を、ある接続から別の接続に変更するＨ．３２３用エンティティである。モバイルエンティティは、ある場所から他の場所に移動する場合、どの位置においても他のＨ．３２３用エンティティとの通信を続けることができる。
【００３８】
ホームＧＫ：遠隔にあるモバイルエンティティに対して必要な管理機能を行うと共に、それぞれに対する現在の位置情報を保持する、モバイルエンティティのホームゾーン内のゲートキーパーである。Ｈ．３２３用モバイルエンティティに対してサポートを行うどのようなＨ．３２３用ＧＫも、ホームＧＫとして振る舞うことができる。
【００３９】
ホームネットワーク：モバイルエンティティのホームネットワーク内のネットワーク、およびモバイルエンティティが自分のホームネットワークとして宣言したネットワーク、例えば、モバイルエンティティがホームネットワークとして宣言したホームゾーン内のＩＰサブネットワークである。
【００４０】
ホームネットワークのアドレス：モバイルエンティティのホームネットワーク内のネットワークの接続ポイントのアドレス、例えば、ホームＩＰサブネットワーク内のＩＰアドレス（ＲＡＳ伝送アドレス）である。伝送アドレスが、ＴＳＡＰに加えてネットワークアドレスを含んでいる場合、ホーム伝送アドレスもホームネットワークアドレスを持つことになる。
【００４１】
外部ＧＫ：モバイルエンティティがそのホームゾーンから離れている間、モバイルエンティティに関連した情報を取得するためにホームＧＫとともに動作する、モバイルエンティティの訪問したゾーンまたは訪問しているゾーン上のゲートキーパーである。Ｈ．３２３用モバイルエンティティにサポートを行うどのようなＨ．３２３用ＧＫも、外部ＧＫとして振る舞うことができる。
【００４２】
外部ネットワーク：モバイルエンティティがその外部ネットワークとして宣言した、モバイルエンティティの外部ゾーン内のネットワーク、例えば、モバイルエンティティの外部ゾーン内のＩＰサブネットワークである。
【００４３】
気付（care-of）ネットワークアドレス：モバイルエンティティの外部ネットワーク内のネットワークの接続ポイントのアドレス、例えば、外部ＩＰサブネットワーク内のＩＰアドレス（ＲＡＳ伝送アドレス）である。伝送アドレスが、ＴＳＡＰに加えてネットワークアドレスを含んでいる場合、この気付伝送アドレスも気付ネットワークアドレスを持つことになる。
【００４４】
訪問中ＧＫ：モバイルエンティティが現在訪問している外部ＧＫである。すなわち、モバイルエンティティが外部ＧＫによって管理されている外部ゾーン内に現在存在している。
【００４５】
既訪問ＧＫ：モバイルエンティティが以前訪問した外部ＧＫである。
【００４６】
ターゲットＧＫ：モバイルエンティティが訪問しようとする外部のＧＫである。
【００４７】
ターゲットネットワーク：モバイルエンティティが訪問しようとするターゲットネットワークである。
【００４８】
モバイルＧＫ：ホームＧＫまたは外部ＧＫのどちらかである。
【００４９】
ホームゾーン：モバイルエンティティのホームＧＫによって管理されるゾーンである。
【００５０】
外部ゾーン：外部ＧＫによって管理されるゾーンである。
【００５１】
訪問中ゾーン：モバイルエンティティのホームゾーンを除いた、モバイルエンティティが現在存在しているゾーンである。すなわち、モバイルエンティティが現在訪問している外部ゾーンである。
【００５２】
既訪問ゾーン：モバイルエンティティのホームゾーンを除いた、モバイルエンティティが以前訪問したゾーンである。すなわち、モバイルエンティティが以前訪問した外部ゾーンである。
【００５３】
ターゲットゾーン：モバイルエンティティのホームゾーンを除いた、モバイルエンティティが訪問しようとするゾーンである。
【００５４】
訪問エンティティ：訪問中ＧＫによって管理される訪問中ゾーン内に存在するモバイルエンティティである。
【００５５】
訪問端末：訪問中ＧＫによって管理される訪問中ゾーン内に存在するモバイルＨ．３２３用端末である。
【００５６】
訪問ユーザ：訪問中ＧＫによって管理された訪問中ゾーンの中に存在するモバイルＨ．３２３用端末である。
【００５７】
ビジターリスト：現在外部ゾーンを訪問しているモバイルエンティティのリストである。
【００５８】
モビリティサービスのためのＧＫ宣言：外部ゲートキーパーは、モバイルエンティティにサービスを提供するために、特別なメッセージを使用することによって自分たちの存在を宣言する。
【００５９】
気付（care-of）アドレス：接続ポイントの端末アドレス、例えば、モバイルエンティティの気付ネットワークアドレスまたはモバイルエンティティが存在している外部ＧＫの気付アドレスである。２つの異なるタイプの気付アドレスがある。すなわち、モバイルエンティティが一緒にデータベース化される外部ＧＫの気付アドレスと、モバイルエンティティが自分自身のネットワークインターフェースの１つと関連している気付ネットワークアドレスである。例えば、ダイナミックホスト構成プロトコル（Dynamic Host Configuration Protocol；ＤＨＣＰ）を用いて、ビジターの暫定ＩＰアドレスをダイナミックに取得できる。
【００６０】
位置エリア：位置エリアは、ゾーン内に存在する所定の地理的なエリア内に、セルまたはセルの特定のグループを構成できる。
【００６１】
管理ドメイン：管理ドメインは、１つの管理エンティティによって管理されたＨ．３２３用エンティティの集合体であり、１つ以上のゲートキーパー（すなわち、１つ以上のゾーン）を含むことができる。それはドメイン間の通信のために、１つ以上の境界要素も含むことができる。ゾーンと同様に、管理ドメインも、ホームまたは外部（既訪問、訪問中、またはターゲットの）ドメインと呼ぶことができる。
【００６２】
モバイルＨ．３２３（モバイルＨ．３２３用プロトコル）：Ｈ．３２３内のモビリティをサポートするために使用される拡張した現存のＨ．３２３／Ｈ．２２５／Ｈ．２４５メッセージであって、このメッセージはモバイルＨ．３２３用プロトコル、または単にモバイルＨ．３２３と呼ばれる。
【００６３】
明らかに、Ｈ．３２３用モビリティには、接続ポイントにおいて２種の変更がある、すなわち、Ｈ．３２３におけるネットワークの接続ポイントをＨ．３２３用の呼に変更すること（Ｈ．３２３用接続ポイントの変更部分と呼ぶことができる）、およびＨ．３２３用接続ポイントの変更（例えば、ゾーンまたはドメイン内の変更）である。大ざっぱに言うと、接続における両者の変更は、Ｈ．３２３用接続ポイントにおける変更ということができる。この接続の変更は、呼を実行している間、すなわちハンドオーバ、および複数の呼の間、例えば、ローミング、でも起こることがある。接続ポイントにおける変更、例えば、ＩＰアドレスにおける変更、またはゾーン／ドメイン境界内の変更は、結果として通信中のハンドオーバを生じることがある。
【００６４】
図１は、Ｈ．３２３用モビリティアーキテクチャの一般的な構成を示す。この図は、第１のＨ．３２３用モバイルエンティティ１０２が第１ゾーン（ホーム／外部）１０４内に存在していることを示している。ここで、第１ゾーンは、第１ゲートキーパー（ホーム／外部）１０６によって制御される。自分が指定したホームゾーンとしてこのゾーンを指定したＨ．３２３用モバイルエンティティに対して、このゾーンのゲートキーパーは、ホームゲートキーパーとしても動作する。Ｈ．３２３用モバイルエンティティの第１ゲートキーパーは、モバイルエンティティに関連した情報を保持することができる。これらのモバイルエンティティは、このゲートキーパー（またこれにより管理されるゾーン）を自分の第１ホームゲートキーパー（またこれにより管理されるホームゾーン）として、第１ホーム位置用データベース１０８として知られるデータベースに設定している。しかしながら、このＨ．３２３用モバイルエンティティが別のゾーンまたはドメインからのビジターである場合、このゲートキーパーおよびゾーンはその外部のゲートキーパーおよび外部のゾーンとなる。再び、前に定義したように、外部のゲートキーパー／ゾーンはまた、ゲートキーパー／ゾーンを訪問するモバイルエンティティの既訪問、訪問中、またはターゲットのモバイルエンティティであるか否かの基準に基づいて、既訪問、訪問中、またはターゲットのゲートキーパー／ゾーンとなる。そうである場合、外部のゲートキーパーとして指定された第１ゲートキーパーは、この外部のモバイルエンティティに関連した情報を第１ビジター位置用データベースとして知られるデータベースに保持する。ホームまたはビジター位置用データベースは、両方の機能を併せ持つものとして実装することもでき、または実装態様によっては２つの独立したエンティティとすることもできることに注意されたい。外部のゲートキーパーは、外部のモバイルエンティティのホームゲートキーパーおよび／またはホーム位置用データベースにコンタクトして、このモバイルエンティティについての詳細（例えば、認証、権限、プロフィールの検証、サービス基準など）を知得する必要がある。また、外部のＧＫ／ビジター位置用データベースとホームのＧＫ／ホーム位置用データベースとの間の通信のためのプロトコルが必要とされる。第３ホーム／外部のゾーン１１２の中に存在する第２モバイルエンティティ１１０の場合も同様である。それぞれのゾーンは、前述した基準に基づいて、それぞれのモバイルエンティティを取り扱わなければならない。設計基準のニーズにより、単一または複数のホーム／ビジター位置用データベースのいずれとも
なりうることに注意すべきである。
【００６５】
図２では、無線ネットワーク環境の中で、ゾーンがセルも含むことが示されている。セルは、ネットワークの設計基準に基づいて、その大きさを調整できる。例えば、現存のセルラー方式のネットワークのセルの大きさはマクロセルと呼ぶことができ、一方、特に屋内環境におけるもっと小さいセルは、マイクロセルまたはピコセルと呼ぶことができる。セルの中には、基地局（ＢＳ）、基地局コントローラ（ＢＳＣ）、および／または移動交換センタ（ＭＳＣ）がある。ＭＳＣには、ルータ（例えば、ＩＰルータ）または交換器（例えば、ＡＴＭ交換器、ＦＲ交換器など）が含まれる。セル内に存在するＨ．３２３用モバイルエンティティは、無線リンクを用いて基地局（ＢＳ）と通信する。次に、この基地局は基地局コントローラと通信し、また基地局コントローラは移動交換センタと通信する。ゲートキーパーはＭＳＣに接続されており、このゲートキーパー（ホーム／外部）は、図１で説明したように必要な場合、ホーム／ビジター位置用データベースと通信する。
【００６６】
図２は、Ｈ．３２３用モバイルエンティティ２０２の１つの実施形態を示すブロック図である。このＨ．３２３用モバイルエンティティ２０２は、ホーム／外部のゾーン２１４内で動作しており、本発明に従って基地局コントローラ（ＢＳＣ）２０６と通信するローカルな基地局（ＢＳ）２０４を用いて通信する。ＢＳＣ２０６は、ホーム／外部のゾーン２１４内で動作する複数のＢＳＣの１つであり、このＢＳＣ２０６は、Ｈ．３２３用モバイルエンティティからの通信を、ホーム／外部のゾーン２１４内の移動交換センタ（ＭＳＣ）２０８に転送する。ホーム／外部のゾーン２１４内には、複数のＭＳＣがある。次に、ＭＳＣ２０８はＨ．３２３用モバイルエンティティからの通信を、Ｈ．３２３用モバイルエンティティ２０２を登録するホーム／外部のＧＫ２１０に転送する。一般に、ホーム／外部のＧＫ２１０は、ホーム／外部のゾーン２１４に対して登録されたＨ．３２３用モバイルエンティティについての位置情報を記録するために、ホーム／ビジター位置用データベース２１２を有している。
【００６７】
図３においては、ゾーンの別のアーキテクチャが示されている。このアーキテクチャでは、ゾーンには、無線ＬＡＮ、ワイヤーラインＬＡＮ、ワイヤーラインなどが含まれている。無線ＬＡＮの場合（例えば、イーサネット、トークンリング、ＡＴＭ、ＬＡＮ／ハブなど）、モバイルエンティティは、ＬＡＮに接続された無線装置を経由して、ルータまたは交換器と直接通信することができる。全体的にワイヤーラインで構成されるネットワークの場合では、モバイルエンティティはワイヤを経由して直接ネットワークに接続される。図２におけるのと同様に、ゲートキーパー（ホーム／外部）は、図１および図２で説明したように必要に応じて、ホーム／ビジター位置のデータベースと通信することができる。
【００６８】
図３は、本発明に基づいて、無線ＬＡＮ３０８，３１０およびワイヤーラインＬＡＮ３１２に接続されているＨ．３２３用モバイルエンティティ３０６と通信するように配置されたＨ．３２３用モバイルエンティティ３０２，３０４の１つの実施形態を示すブロック図である。無線ＬＡＮ３０８，３１０およびワイヤーラインＬＡＮ３１２は、それぞれ対応するルータや交換器（Ｒ／Ｓｗ）３１４，３１６に接続され、これらのルータ／交換器は、モバイルエンティティのための移動領域を取り囲むホーム／外部のゾーン３２２に対するホーム／外部のＧＫ３１８と通信する。
【００６９】
図１、図２、および図３は、ゾーン／ドメインが、Ｈ．３２３用モビリティプロトコルを意識させずに適用できる各種のアーキテクチャやアーキテクチャのエンティティを含むことができることを明白に示している。しかしながら、Ｈ．３２３用モバイルエンティティが移動する場合、ネットワークの接続ポイントも変わり、これがまたゾーンおよび／またはドメイン内の変化を引き起こすことになる。例えば、Ｈ．３２３内のネットワークの接続ポイントをＨ．３２３用セルに変更することは、通信中に行う（ハンドオーバする）ことができ、そしてゾーン内、ゾーン間、またはドメイン間で行うことができる。Ｈ．３２３内のネットワークの接続ポイントを複数のＨ．３２３用セルに変更することは、複数の呼を取り扱う場合でも達成することができ、例えばローミング、そしてゾーン内、ゾーン間、またはドメイン間でも達成することができる。Ｈ．３２３用接続ポイントを変更することは、通信中に起こる（ハンドオーバする）ことがあり、そしてゾーン内、ゾーン間、またはドメイン間で起こることがある。Ｈ．３２３用接続ポイントを変更することは、複数の呼の間で起こることがあり、例えばローミング、そしてゾーン内、ゾーン間、またはドメイン間でも起こることがある。
【００７０】
モバイルＨ．３２３は、ミドルウェア／アプリケーション層におけるモビリティの問題を解決する。このため、モバイルＨ．３２３に対する解決策は、下位のパケットベースの伝送ネットワーク（例えば、ＩＰ伝送ネットワークに対してＩＥＴＦによって開発されたモバイルＩＰ）内に設けられたモビリティの解決策を補足する。また相互に作用する方式は、パケットベースのモバイルＨ．３２３用システムと、現存の回線交換ベースの無線ＰＳＴＮネットワーク、例えば、相互作用する機能（interworking function；ＩＷＦ）またはゲートウェイ（ＧＷ）を用いる公共地上移動ネットワーク（Public Land mobile Network；ＰＬＭＮ）のＡＮＳＩ−４１およびＧＳＭ ＭＡＰとの間で定義される。
【００７１】
ローミングおよびハンドオーバの取扱いは、現行のＨ．３２３のバージョンによっては規定されない形式であるが、モビリティをサポートするための重要なメカニズムである。モビリティをサポートするために、Ｈ．３２３は、登録（発呼前の設定）、位置の更新、呼の確立、および呼の終了（call teardown）に加えて、ローミングおよびハンドオーバ動作の統合についての拡張性を必要とする。ハンドオーバの間、端末がその位置を変える間の各メディアストリームは継続している必要がある。例えば、無線ＬＡＮまたはセルラー方式のネットワークでは、Ｈ．３２３用モバイルエンティティを１つ以上のリンクで同時に利用することができる（すなわち、１つ以上の別個のリンク上のネットワーク装置の無線送信器の範囲内で）。また、同時接続は、ハンドオーバが完了するまで、短時間共存することができる。新しい位置へのリソースが割り当てられ、古い位置へのリソースは開放される。
【００７２】
Ｈ．３２３を使用する場合、Ｈ．３２３用エンティティは、登録、承認、およびステータス（ＲＡＳ）通信メッセージを用いて、Ｈ．３２３用システムへの承認をゲートキーパーに登録する。ゲートキーパーは、Ｈ．３２３用システムでは任意であるが、Ｈ．３２３用エンドポイントに呼制御サービスを提供する。１つ以上のゲートキーパーが存在することができ、特定されない方法で互いに通信することができる。ゲートキーパーは論理的にエンドポイントから分離しているが、その物理的な実装は、端末ＭＣＵ、ＧＷまたはＩＷＦ、ＭＣ、または他の非Ｈ．３２３装置と共存することができる。
【００７３】
ゲートキーパーは、システムに存在する場合、多くのサービスを提供する。すなわち、アドレス変換、承認制御、帯域幅制御、およびゾーン管理である。ゲートキーパーも他の任意の機能を行うことができる、すなわち、呼制御通信、呼の認可、帯域幅管理、呼管理、自分自身の帯域幅確保ができない端末に対する帯域幅の確保、ディレクトリサービスなどである。従って、ゲートキーパーは、Ｈ．３２３内のモビリティを管理するための機能的エンティティになる。この機能的エンティティは、コネクションレスおよびコネクション用の双方のネットワーク環境に対するパケットベースのネットワーク上で、モバイルＨ．３２３ベースのマルチメディア・テレフォニーを可能にする。
【００７４】
ゾーンは、単一のゲートキーパーによってコントロールされる多数のサブネットワークを持つことができる。端末またはユーザがゾーン内で移動する場合、同じゲートキーパーのコントロールのもとに留まるが、そのネットワークの接続ポイント、例えばＩＰサブネットワーク（ＲＡＳ伝送アドレス）は変化する。モバイルエンティティは、その新しいネットワークの接続ポイントを更新するために、ゲートキーパーに登録する必要がある。このため、新しいネットワークの接続ポイントを考慮して、新しいリソースを割り当てる必要もあり、一方、古い接続に割り当てられたリソースを、もしそれがあれば、開放する必要がある。
【００７５】
しかしながら、ゲートキーパー間の通信は、希望する機能的エンティティ間のゾーン間通信も含めて、端末またはユーザがゾーンの境界を超えるとき、モバイルエンティティの位置を更新するために特に必要とされる。必要な場合、リソースをモバイルエンティティの新しい接続ポイントに割り当てる必要もあり、また古い接続ポイントのリソースを切り離すことが要求される。そのような変更を容易にするために、既に説明した用語によれば、ホームＧＫ、外部ＧＫ、ホームゾーン、外部ゾーンなどが利用される。ホームＧＫは、Ｈ．３２３用エンティティがそのホームＧＫとして登録し指定しているゲートキーパーである。ホームゾーンは、Ｈ．３２３用エンティティのホームＧＫによって管理されているゾーンである。外部ＧＫは、Ｈ．３２３用エンティティがそのホームゾーンから移動した後に登録するゲートキーパーである。外部ゾーンは、Ｈ．３２３用エンティティのホームＧＫが管理しないゾーンである。
【００７６】
Ｈ．３２３用エンティティが現在所属している外部ゾーンは、訪問中ゾーンと呼ぶこともでき、外部ＧＫも訪問中ＧＫと呼ぶことができる。Ｈ．３２３用モバイルエンティティが以前存在していた外部ゾーンは、既訪問ゾーンと呼ぶこともでき、その外部ＧＫを既訪問ＧＫと呼ぶこともできる。Ｈ．３２３用エンティティが外部ゾーンに残る場合、端末またはユーザは訪問中端末またはユーザと呼ばれる。
【００７７】
Ｈ．３２３用モバイルエンティティは、そのホームＧＫとしての役目をするモバイルＧＫに登録する必要がある。このホームＧＫは、モバイルエンティティが、ある場所から他の場所に移動する場合、コントロールエンティティとなる。必要な場合、モバイルエンティティは、どのＧＫがそのホームＧＫになるかを決定することもできる。いったんモバイルエンティティがどのＧＫがそのホームＧＫになるかを決定した場合、モバイルエンティティはこの選択したＧＫに登録する。
【００７８】
モバイルＧＫは、一般に、定期的にそのアベイラビリティを宣言して、そのゾーン内の訪問中モバイルエンティティにモビリティサービスを提供する。この訪問中モバイルエンティティは、宣言のメッセージを受け取ると、モバイル（外部）ＧＫに登録する。一方、外部ゾーンでは、モバイルエンティティは、ゲートキーパー・ディスカバリー・メッセージを用いて、外部ＧＫを探し求める。いずれの場合でも、モバイル端末は、ホームゾーンの境界を超えた場合は、外部ＧＫに登録する。次に、外部ＧＫは、登録と位置更新情報のためにＨ．３２３のホームＧＫと通信する。
【００７９】
Ｈ．３２３用モバイルエンティティは、登録することによってそのホームＧＫとしてＧＫを指定する。このホームＧＫは、モバイルエンティティに対するモビリティおよび認証を管理する中心的機能エンティティである。モバイルエンティティのホームゾーンのホームサブネットワークのホーム伝送アドレス（ＲＡＳ、呼通信）は、登録されている間、ホームＧＫに与えられる。モバイルエンティティが、ある場所から他の場所に移動する場合、このモバイルエンティティの現在の情報の登録は、そのホームＧＫと交換される。登録は何らかの呼を行う前に要求される。
【００８０】
モバイルＩＰプロトコルと同様に、モバイルエンティティに固定のホーム伝送アドレスを保持するためのオプションを設けることができる。すなわち、Ｈ．３２３用エンティティは、モバイルエンティティのホームＧＫによって管理されたホームゾーン内で、別のモバイルエンティティの固定したホーム伝送アドレスに常に呼を送ることができる。このとき、ホームＧＫは、モバイルエンティティの現在の気付アドレスに対して呼（すなわち、ホームＧＫルートの呼）を確立する。このように、モバイルエンティティの気付アドレスは、発呼側のパーティーまたはエンティティに知られることはない、またモバイルエンティティはその位置を隠すことができる。しかしながら、モバイルエンティティのアドレスが知られている場合は、モバイルエンティティの気付伝送アドレスに対して呼を直接確立することができる。モバイルエンティティのアドレスが呼を行うエンティティに予め知られている場合、またはホームゲートキーパーが呼を行ったモバイルエンティティのアドレスを呼を行っているエンティティに知らせることを許可するポリシーが設定されている場合は、呼の直接確立を行うことができる。このように、ホームゲートキーパーは、呼を行うエンティティに呼を行ったモバイルエンティティの気付アドレスを知らせて、呼を行うエンティティは次に呼をモバイルエンティティの気付アドレスに直接確立することができる。
【００８１】
モバイルＧＫはモビリティサービスについてのそのアベイラビリティを宣言し、モバイルエンティティは、モバイルＧＫがあるゾーンから別のゾーンに移動する場合、モバイルＧＫのアベイラビリティを求める。
【００８２】
必要な場合、モバイルエンティティの位置を見出すために、ページングメッセージを送ることができる。ページングメッセージを受け取った後の位置の更新の間、モバイルエンティティがまだ登録されていないときには、登録プロセスが実行される。
【００８３】
ゲートキーパーはＨ．３２３用モバイルエンティティを管理する。それぞれのＨ．３２３用モバイルエンティティは、それがモビリティサービスを受けるために登録するホームＧＫに属している。このホームＧＫは、Ｈ．３２３用モバイルエンティティの位置及び、モバイルエンティティがある場所から他の場所に移動するときの他の情報（例えばユーザプロファイルや課金情報など）を保持する必要がある。ユーザプロファイルは、呼に関連した情報（呼の転送、着信拒否（call barring）など）、会員制ユーザグループ（close user group；ＣＵＧ）情報、ローミングの制約、補充サービス、認可の種類などを含むことができる。ゲートキーパーは、ゾーンを構成する１つ以上のサブネットワークを含むことができる。いくつかの例では、それぞれのサブネットワークは、アクセスネットワークまたは位置エリア／セル／ゾーン（例えば、無線ＬＡＮ、セルラー方式のネットワークの無線アクセスユニットなど）とすることができ、それぞれのゾーンは、１つ以上のアクセスネットワークまたは位置エリア／セル／ゾーンを含むことができる。外部ＧＫは、特定の外部ＧＫの受け持ちゾーン内で動作する訪問中Ｈ．３２３用エンティティを追尾する。初めは、Ｈ．３２３用エンティティの位置はそのホームＧＫには知られており、外部ＧＫは、訪問中エンティティのホームＧＫと通信しなければならない。外部ＧＫは、訪問中Ｈ．３２３用エンティティが外部ＧＫに登録したとき、訪問中エンティティのホームＧＫに通知しなければならず、ホームＧＫは、移動体加入者が現在新しい位置にいることを反映するために、その記録を更新する。
【００８４】
Ｈ．３２３用モバイルエンティティは、ある外部ゾーンから他の外部ゾーンに移動することもできる。通信プロセスの間に、ホームＧＫはまた、Ｈ．３２３用モバイルエンティティまたは加入者について、訪問中ＧＫに加えて、既訪問ＧＫと通信する必要がある。これは、ホームＧＫが、その移動体加入者についての完全な情報を保持するからである。ホームＧＫと外部ＧＫは、認証、プライバシー、および保全性を備えるために、セキュリティ情報（例えば、Ｈ．２３５）を交換することもできる。必要な場合、移動体の環境に対する特別な機能を含めるために、Ｈ．２３５のセキュリティメカニズムを拡張することができる。そのような機能には、認証に使用される乱数（例えば、ＲＡＮＤ）、キー連続番号の暗号化（例えば、ＣＫＳＮ）、および認証要求に応答するセキュリティパラメータ（例えば、ＳＲＥＳ）が含まれる。さらに、ホームＧＫは、Ｈ．３２３用モバイル加入者の装置についての情報を含む装置識別レジスタ（ＥＩＲ）を保持することができる。このＥＩＲは、モバイル加入者装置の製造業者の識別（例えば、国際移動体装置識別子（International Mobile Equipment Identity；ＩＭＥＩ））、適合試験情報、およびＨ．３２３用モバイル装置を組み立てた工場の識別名を含むことができる。さらに、国際移動体加入者識別子（International Mobile Subscriber Identity；ＩＭＳＩ）および一時的な移動体加入者識別子（Temporary Mobile Subscriber Identity；ＴＭＳＩ）も、Ｈ．３２３用移動体加入者が必要に応じて使用できる。これらの特別な移動体加入者の識別子は、移動体ユーザが登録した時点で、ホームＧＫに記録することもできる。移動体加入者は、ＩＭＳＩまたはＴＭＳＩを使用するか否かを決定する。ＩＭＥＩ，ＩＭＳＩおよびＴＭＳＩ番号は、別の種類のＨ．３２３用のエイリアスのアドレスと考えることができる。しかしながら、ＩＭＥＩは主に端末モビリティに有効であり、一方ＩＭＳＩおよびＴＭＳＩはユーザモビリティを説明するために利用される。
【００８５】
Ｈ．３２３用移動体サービスは、独立した伝送方法においてより上位のミドルウェア／アプリケーション層に関連して説明することができる。現在では、Ｈ．３２３は、ゲートキーパー要求、（ＧＲＱ）、ゲートキーパー確認（ＧＣＦ）、およびゲートキーパー拒絶（ＧＲＪ）メッセージを用いてＨ．３２３用エンティティによってＧＫを見つけるためのメカニズムを提供する。これらのメッセージは、本発明では移動体環境を管理するために拡張される。
【００８６】
Ｈ．３２３用モバイルエンティティがモビリティサービスを受けようとする場合、そのようなモバイルエンティティは、そのモビリティを管理するための中心的エンティティとして機能するホームゾーンのホームＧＫを最初に決定しなければならない。ＧＲＱ／ＧＣＦ／ＲＪのメッセージは、ホームＧＫを決定するために拡張することができる。モバイルエンティティはホームＧＫを知ると、登録メッセージを用いてこのホームＧＫに登録する。再度、Ｈ．３２３の登録メッセージは、モバイルエンティティが現在存在しているので、移動体環境に広げられる。ホームゾーンの境界を超えると、Ｈ．３２３用モバイルエンティティは外部ＧＫに再登録しなければならない。モビリティサービスを提供するＨ．３２３のゲートキーパーは、定期的にマルチキャストアドレスを用いてモビリティゲートキーパー公示（ＭＧＡ）メッセージを使用して、そのアビリティを宣言する。モバイルエンティティはこのＭＧＡメッセージを受け取ると、モビリティに関するサービスをサポートできるモバイルＧＫを検出する。必要な場合、モバイルエンティティは拡張されたＧＲＱメッセージ送って、外部ゾーン内のモバイルＧＫを決定できる。しかしながら、ＭＧＡメッセージを用いてモバイルＧＫを決定することが好ましい。Ｈ．３２３用モバイルエンティティは、外部ゾーン内で登録する必要があるモバイルＧＫを決定する場合、拡張された登録メッセージを用いてこのモバイルＧＫに登録できる。モバイルエンティティは、ＭＧＡのメッセージを調査することによって、自分がゾーンの境界を超えて外部ゾーン内に入ったことを確認できる。
【００８７】
一般的に、ＭＧＡメッセージは、宣言の特別な機能をモバイルエンティティに伝達するとともに、一般に、以下のフィールドを含む。
【００８８】
RequestSeqNum：発呼者に固有で、かつ単調増加する値。それは特定のメッセージに関連したいくつかのメッセージで、レシーバによって返送される。
【００８９】
AdvertisedTimeToLive：モバイルＧＫへの登録を検証する持続時間で、一般に、秒単位で表される。この時間の経過の後、ゲートキーパーは、登録がもはや最新ではないとして扱う。
【００９０】
NeedToRegisterWithGK：モバイルエンティティが、他のＲＡＳ要求を送る前に、この外部のゲートキーパーに登録しなければならないときにTRUEに設定される。
【００９１】
BusyForeignGK：外部のゲートキーパーがビジーであるときにTRUEに設定される。
【００９２】
HomeGKIdentifier：ホームゲートキーパーを識別するために含まれるオプショナルな（付随的）フィールドである。このフィールドが送られる場合、それはホームゲートキーパーに、これ以降に送られるＲＡＳメッセージの中に含まれる。このゲートキーパーは、このゲートキーパーをそのホームゲートキーパーとして指定するモバイルエンティティのモビリティを管理する中心的エンティティとして動作する。
【００９３】
ForeignGK：モバイルエンティティがこのゲートキーパーによって管理されるゾーン内に入るとき、外部のゲートキーパーとして動作するゲートキーパーを示すために使用される付随的フィールドである。この外部のゲートキーパーの構成には、以下が含まれる。
【００９４】
ForeignRASAddress：ＲＡＳ通信に使用される伝送アドレスである。このアドレスは、モバイルエンティティに対する気付ゲートキーパーアドレスとして使用される。
【００９５】
ForeignGKIdentifier：外部のゲートキーパーを識別するために随意的に含まれる。このフィールドが送られる場合、それはこのゲートキーパーに、これ以降に送られるＲＡＳメッセージの中に含まれる。
【００９６】
ZoneRange：所定のゾーン内でモバイル（ホーム／外部）ＧＫによってカバーされるサブネットワークのリストである。
【００９７】
NonStandardData：定義されない情報を搬送する（例えば、法的権利関係を表すデータ等）。
【００９８】
ＧＫは、移動体ユーザに対してホームＧＫおよび外部ＧＫの両方の動作を行う。同じＧＫはまた、移動体ユーザとして指定されない固定のユーザに対して「正規の」ＧＫとして動作する。そのような状態では、一般に、ホームＧＫおよび外部ＧＫの双方が、同一のゲートキーパー識別子と同一のＲＡＳアドレスとを有することになる。ZoneRangeは、所定のゾーンにはただ１つのＧＫしか存在しないため、ホームＧＫおよび外部ＧＫの両方に対して同一である。ホームＧＫは気付アドレスを宣言する必要はないが、それでもモバイルエンティティがいつ自分達のホームゾーンに戻ったかを知るように、ＭＧＡの宣言をブロードキャスト、マルチキャスト、またはユニキャストしなければならない。モバイルエンティティは、そのホームゾーンに戻ったとき、その位置をそのホームＧＫに対して更新する。外部ＧＫは、それは外部ＧＫであると宣言しない場合は、外部ＧＫはビジーであることを示さないことに注意されたい。また、外部ＧＫは、あまりにも忙しくて新しいモバイルエンティティにサービスを提供できない場合でさえ、宣言を送り出し続けなれればならないことに注意されたい。そうしないと、外部ＧＫの現在の顧客は外部ＧＫがクラッシュしたと考えて、不必要に動き回る可能性がある。モバイルＧＫは一般に、それぞれの逐次の公示ごとに連続番号を１つ増加する。
【００９９】
ＧＲＱメッセージへの拡張すれば、モバイルエンティティがモバイルＧＫ（ホームまたは外部）を発見するために別の手段を提供できる。ＭＧＡメッセージを所定時間内に受け取れない場合、モバイルエンティティはモバイルＧＫを発見するために、これらの拡張したメッセージを用いるようにしてもよい。その他の理由によっても、モバイルＧＫを見つけるためにＧＲＱメッセージを使用することに対し、固定式およびモバイルエンティティの両方についてのＧＫを発見するために同じ方法を使用することができる。
【０１００】
モバイルエンティティは、そのホーム／ゾーン内でそのホームＧＫとしての役目をするモバイルＧＫを、次の２つの方法の１つで発見する。すなわち、ＧＫ発見メッセージ（ＧＲＱ／ＧＣＦ／ＧＲＪ）をマニュアルでまたはダイナミックに使用することである。同様に、モバイルエンティティは、ＭＧＡメッセージをモバイルＧＫから受け取っていないとして、モバイルエンティティが登録ゾーンにいると決定したときに登録を要するＧＫをダイナミックに探索することもできる。ＧＲＱ／ＧＣＦ／ＧＲＪメッセージは、以下に説明するように、移動体ユーザをカバーするように拡張されている。
【０１０１】
ＧＲＱメッセージの主な目的は、固定式またはモバイルエンティティに対するＧＫを発見することである。このため、既訪問ＧＫまたはターゲットＧＫに関連する情報は要求されない。しかしながら、ＩＭＥＩ，ＩＭＳＩおよびＴＭＳＩなどの新しい付随的エイリアスアドレスを含める必要はない。ＧＲＱメッセージは、以下のように拡張する必要がある。
【０１０２】
HomeZone：モバイルエンティティがホームゾーン内で登録を求めているとき、TRUEに設定される。
【０１０３】
ForeignZone：モバイルエンティティが外部ゾーン内で登録を求めているとき、TRUEに設定される。
【０１０４】
HomeGK：モバイルエンティティが外部ゾーン内に入るときに、このモバイルエンティティのホームゲートキーパーとして動作するゲートキーパーを示すための付随的な（オプショナルな）フィールドである。ForeignZoneフィールドがTRUEに設定されると、HomeGKに関連する情報が提供される。
【０１０５】
ホームＧＫの構成には以下のフィールドが含まれる。
【０１０６】
HomeRASAddress：ＲＡＳ通信で使用される伝送アドレスである。このアドレスは、ホームゾーン内のモバイルエンティティのためのホームＲＡＳ伝送アドレスとして使用される。
【０１０７】
HomeCallSignalAddress：呼の通信に使用される転送アドレスである。このアドレスは、ホームゾーン内のモバイルエンティティに対してホーム呼通信用伝送アドレスとして使用される。
【０１０８】
HomeGKIdentifier：ホームゲートキーパーを識別する付随的フィールドである。それが送られた場合、それはホームゲートキーパーに送られる未来のＲＡＳメッセージ内に含まれる。
【０１０９】
EndpointAlias：追加のオプショナルな国際移動体装置識別子（International Mobile Equipment Identity；ＩＭＥＩ）、国際移動体加入者識別子（International Mobile Subscriber Identity；ＩＭＳＩ）、および一時的な移動体加入者識別子（Temporary Mobile Subscriber Identity；ＴＭＳＩ）のエイリアスアドレスはこの中に含まれる。
【０１１０】
HomeZoneがTRUEに設定される場合、ForeignZoneはTRUEに設定されないし、またこの逆の場合もあることに留意することが重要である。HomeZoneおよびForeignZoneの両方がFALSEに設定される場合、またはこれらの拡張メッセージフィールドがいずれも使用されない場合、ＧＫを探し求めているものは固定式Ｈ．３２３用エンティティである。HomeZoneがTRUEに設定される場合、HomeGKフィールドに関連する情報は送られない。このため、現在のＨ．３２３用システムに関しては、ＧＲＱメッセージのRASAddressフィールドが、モバイルエンティティのホームＲＡＳ伝送アドレス（HomeRASAddress）になる。同様に、gatekeeperidentifierフィールドは、ゲートキーパーを識別するために使用される場合は、モバイルエンティティのホームゲートキーパー（HomeGKIdentifier）になる。現在のＨ．３２３のalternateEndpointsフィールドの中で提供される伝送アドレスは、モバイルエンティティの代替えのホーム伝送アドレス（EndpointAlias）になる。
【０１１１】
ForeignZoneがTRUEに設定される場合、HomeGKフィールドに関する情報はまた送ることができる。このホームＧＫに関する情報を使用して、多くの目的に役立たせることができる。例えば、モバイルＧＫ（訪問するＧＫ）の働きをすることによって、必要な場合、ホームＧＫの情報に基づいて、サービスを区別することができる。モバイルエンティティによって送られたＧＲＱメッセージのRASAddressは、モバイルエンティティが外部ゾーンにいることを示した場合、その気付伝送アドレスになることが分かる。しかしながら、モバイルエンティティは、外部ゾーンに移動した後、ＧＲＱメッセージを用いて、気付（外部）ＧＫを探す前に、気付伝送アドレスを取得しなければならないことに気が付くことは重要である（例えば、ビジター（外部ゾーン内のモバイルエンティティ）の一時的ＩＰアドレスは、それぞれのサブネット内のＤＨＣＰなどの手段によって、ダイナミックに取得することができる）。同様に、オプションのgatekeeperIdentifierフィールドは、モバイルエンティティの前に知られた場合、外部ゾーン内のモバイルエンティティの気付ゲートキーパーとしての表示を提供する。オプションのalternateEndpointsフィールド内で提供された伝送アドレスは、外部ゾーン内のモバイルエンティティの代替の気付伝送アドレスになる。さらに、homeRASAddressおよびhomeCallSignalingAddressの伝送アドレスについてのこれ以上の情報は、これらのアドレスがそのホームゾーン内にあることをそのモバイルＧＫに示すモバイルエンティティによって与えられる。このモバイルエンティティは、homeGKIdentifierフィールド内でそのホームゲートキーパーの識別を行う。
【０１１２】
ＧＣＦメッセージは以下のように拡張される。
【０１１３】
HomeZone：モバイルエンティティがホームゾーン内で登録を検索しているときにTRUEに設定される。
【０１１４】
ForeignZone：モバイルエンティティが外部ゾーン内で登録を検索しているときにTRUEに設定される。
【０１１５】
AdvertisedTimeToLive：付随的（オプショナルな）フィールドである。しかしながら、ForeignZoneがTRUEに設定される場合、このフィールドを使用しなければならない。このフィールドはモバイルＧＫへの登録を検証する持続時間を、一般に秒単位で表す。この時間の後、ゲートキーパーは登録がもはや最新のものではないとして扱う。
【０１１６】
HomeZoneがTRUEに設定される場合、ForeignZoneをTRUEに設定することはできないし、この逆も同様である。HomeZoneとForeignZoneの両方がFALSEに設定されるか、拡張メッセージフィールドのいずれもが使用されない場合、認められているのは固定式のＨ．３２３用エンティティのＧＫである。
【０１１７】
ＧＣＦメッセージのHomeZoneフィールドがTRUEに設定される場合、このＧＣＦメッセージのRASAddressフィールドは、モバイルエンティティのホームＧＫの伝送アドレスになる。同様に、gatekeeperIdentifierフィールドは、ゲートキーパーを識別するために使用される場合、モバイルエンティティのホームＧＫの識別子になる。alternateGatekeeperフィールドの中で与えられた伝送アドレスおよびゲートキーパー識別子は、モバイルエンティティの別のホームＧＫの伝送アドレスおよびゲートキーパー識別子になる。ForeignZoneフィールドがTRUEに設定される場合、ＣＧＦメッセージのRASAddressフィールドは、モバイルエンティティの外部ＧＫの気付伝送アドレスになる。同様に、gatekeeperIdentifierフィールドは、ゲートキーパーを識別するために使用される場合、モバイルエンティティの外部ＧＫの識別子になる。alternateGatekeeperフィールドで提供された伝送アドレスおよびゲートキーパー識別子は、モバイルエンティティの別の気付外部ＧＫの別の伝送アドレスおよびゲートキーパー識別子になる。
【０１１８】
ＧＲＪメッセージは以下のように拡張される。
【０１１９】
HomeZone：モバイルエンティティがホームゾーン内で登録を検索しているときにTRUEに設定される。
【０１２０】
ForeignZone：モバイルエンティティが外部ゾーン内で登録を検索しているときにTRUEに設定される。
【０１２１】
HomeGKNotServe：外部フィールドがTRUEに設定される場合、この付随的なフィールドを使用できる。モバイルエンティティが登録しようとしている外部ＧＫが、その特定のゾーンのビジター（モバイルエンティティ）に対して機能することを望まない場合、この外部ＧＫは登録を拒否することがある。HomeZoneフィールドがTRUEに設定されている場合、ForeignZoneをTRUEに設定することはできないし、この逆も同様である。HomeZoneとForeignZoneフィールドの両方がFALSEに設定されるか、これらの拡張メッセージフィールドのいずれもが使用されない場合、拒絶されているのは固定式のＨ．３２３用エンティティのＧＫを検索する要求である。HomeZoneフィールドがTRUEに設定される場合、ＧＲＪメッセージのgatekeeperIdentifierフィールドは、ゲートキーパーを識別するために使用される場合は、モバイルエンティティがその外部ＧＫとして登録することを希望するＧＫを示す。オプションのaltGKinfoフィールド内で提供される情報は、モバイルエンティティがその外部ＧＫとして機能するために、リストの中で提供される別のＧＫを使ってみる必要があることを示している。
【０１２２】
図４は、本発明による、パケットベースのネットワーク上でリアルタイムのモバイルマルチメディア通信および会議のためのＨ．３２３ベースのモビリティプロトコルの１つの実施形態のフローチャートである。複数のＨ．３２３用モビリティのゲートキーパーは、マルチキャスト／ユニキャストアドレスにモビリティゲートキーパー宣言（Mobility Gatekeeper Advertisement）を定期的にマルチキャスト／ブロードキャスト／ユニキャストすることによって、Ｈ．３２３用モビリティサービスのアベイラビリティの通知を行う。このプロトコルには一般に、以下のステップが含まれる。すなわち、モバイル端末／ノード／エンティティが移動して、オーディオ、ビデオ、およびデータの少なくとも１つを含むＨ．３２３用通信を開始する場合に、複数のアベイラブルなＨ．３２３用ホーム／外部モビリティのゲートキーパーの少なくとも１つが、マルチキャスト／ユニキャストのアドレスにモビリティゲートキーパーの宣言を定期的にブロードキャスト／マルチキャスト／ユニキャストすることによってなされる、Ｈ．３２３用モビリティサービスのアベイラビリティを通知と、モバイル端末／ノード／エンティティにＨ．３２３用モビリティサービスのアベイラビリティの通知がない場合、モバイル端末／ノード／エンティティがメッセージを、モバイル端末／ノード／エンティティと同一区画のあらかじめ選択されたエリア内のＨ．３２３用ホーム／外部モビリティのゲートキーパーに、モバイル端末／ノード／エンティティがＨ．３２３用モビリティサービスを必要としていることを通知するホームゲートキーパー／ホーム位置用データベースに、ブロードキャスト／マルチキャスト／ユニキャストして行う通知と、Ｈ．３２３用ホーム／外部モビリティのゲートキーパーがモバイル端末／ノード／エンティティに利用可能なＨ．３２３用ホーム／外部モビリティのゲートキーパーの通知と、いずれかの通知４０２に関して、モバイル端末／ノード／エンティティがモバイル端末／ノード／エンティティの位置のエリア／セル／ゾーン内でＨ．３２３用モビリティサービスをサポートするアベイラブルなＨ．３２３用ホーム／外部モビリティのゲートキーパーに登録するステップ４０４と、モバイル端末／ノード／エンティティが登録されているＨ．３２３用ホーム／外部モビリティのゲートキーパーがモバイル端末／ノード／エンティティに、オーディオ、ビデオ、およびデータの少なくとも１つを含むＨ．３２３用通信についてのサポートを提供するステップ４０６と、が含まれる。
【０１２３】
Ｈ．３２３用ホーム／外部モビリティのゲートキーパーへの登録動作には、モバイル端末／ノード／エンティティについての登録情報を、基地局を用いて、基地局コントローラ、移動交換センタからＨ．３２３用ホーム／外部ゲートキーパーのシステムに送信することが含まれる。あるいはまた、少なくとも１つのＨ．３２３用ホーム／外部モビリティのゲートキーパーへの登録動作には、モバイル端末／ノード／エンティティについての登録情報を、無線／ワイヤーラインのローカルエリアネットワークを用いて、ルータ／交換器からＨ．３２３用ホーム／外部ゲートキーパーのシステムに送信することが含まれる。
【０１２４】
図５に示すように、１つの実施形態においては、登録動作には、ホームゲートキーパーがモビリティゲートキーパーの宣言（ＭＧＡ）を、定期的にブロードキャスト／マルチキャスト／ユニキャスト／送信するステップ５０２と、モバイル端末／ノード／エンティティが登録要求メッセージ（ＲＲＱ）をホームゲートキーパーにブロードキャスト／マルチキャスト／ユニキャスト／送信するステップ５０４と、ホームゲートキーパーが登録確認／登録拒絶（ＲＣＦ／ＲＲＪ）をモバイル端末／ノード／エンティティにブロードキャスト／マルチキャスト／ユニキャスト／送信するステップ５０６と、が含まれる。
【０１２５】
図６に示されるように、別の実施形態の一つでは、登録は次の各ステップ、すなわち、ネットワーク接続点が変更され／外部ゾーンに入ったことをモバイル端末／ノード／エンティティが決定する際にモバイル端末／ノード／エンティティが外部／訪問中ゲートキーパーへ登録要求メッセージ（ＲＲＱ）をブロードキャスト／マルチキャスト／ユニキャスト／送信するステップ６０２と、外部／訪問中ゲートキーパーがホームゲートキーパーにバインド更新メッセージ（ＢｕＲＱ）をブロードキャスト／マルチキャスト／ユニキャスト／送信するステップ６０４と、ホームゲートキーパーが外部／訪問中ゲートキーパーにバインドの更新確認／拒否（ＢｕＣＦ／ＢｕＲＪ）をブロードキャスト／マルチキャスト／ユニキャスト／送信するステップ６０６と、外部／訪問中ゲートキーパーがモバイル端末／ノード／エンティティに対し、バインド更新確認／拒否をブロードキャスト／マルチキャスト／ユニキャスト／送信するステップ６０８とを備えることができる。  モバイル端末／ノード／エンティティが既訪問ゲートキーパーにより管理される他の外部ゾーンを既に訪問した後の場合は、登録は次の各ステップ、すなわち、ホームゲートキーパーが既訪問ゲートキーパーにモバイル開放メッセージ（ＵｂＲＱ）をブロードキャスト／マルチキャスト／ユニキャスト／送信するステップと、既訪問ゲートキーパーがホームゲートキーパーにモバイル開放確認／拒否（ＵｂＣＦ／ＵｂＲＪ）をブロードキャスト／マルチキャスト／ユニキャスト／送信するステップとにより行うことができる。
【０１２６】
モバイル端末／ノード／エンティティが、既訪問ゲートキーパーにより管理される他の外部ゾーンを既に訪問した後の場合は、登録は次の各ステップ、すなわち、モバイル端末／ノード／エンティティが外部／訪問中ゲートキーパーに登録要求メッセージ（ＲＲＱ）をブロードキャスト／マルチキャスト／ユニキャスト／送信するステップ、外部／訪問中ゲートキーパーが既訪問ゲートキーパーにモバイル開放メッセージ（ＵｂＲＱ）をブロードキャスト／マルチキャスト／ユニキャスト／送信するステップ、既訪問ゲートキーパーが外部／訪問中ゲートキーパーにモバイル開放確認／拒否（ＵｂＣＦ／ＵｂＲＪ）をブロードキャスト／マルチキャスト／ユニキャスト／送信するステップ、外部／訪問中ゲートキーパーがモバイル端末／ノード／エンティティに仮の登録確認をブロードキャスト／マルチキャスト／ユニキャスト／送信するステップおよび外部／訪問中ゲートキーパーがホームゲートキーパーに結合更新メッセージ（ＢｕＲＱ）をブロードキャスト／マルチキャスト／ユニキャスト／送信するステップ、およびホームゲートキーパーが外部／訪問中ゲートキーパーに結合更新確認／拒否（ＢｕＣＦ／ＢｕＲＪ）をブロードキャスト／マルチキャスト／ユニキャスト／送信するステップとにより行うことができる。
【０１２７】
モバイル端末／ノード／エンティティが、既訪問ゲートキーパーによって管理されるもう一つのの外部ゾーンを既に訪問した後の場合は、登録は次の各ステップ、すなわち、モバイル端末／ノード／エンティティが外部／訪問中ゲートキーパーに登録要求メッセージ（ＲＲＱ）をブロードキャスト／マルチキャスト／ユニキャスト／送信するステップと、既訪問ゲートキーパーが外部／訪問中ゲートキーパーにモバイル開放確認／拒否（ＵｂＣＦ／ＵｂＲＪ）をブロードキャスト／マルチキャスト／ユニキャスト／送信するステップと、外部／訪問中ゲートキーパーがモバイル端末／ノード／エンティティに仮の登録確認をブロードキャスト／マルチキャスト／ユニキャスト／送信するステップと、外部／訪問中ゲートキーパーがホームゲートキーパーに結合更新メッセージ（ＢｕＲＱ）をブロードキャスト／マルチキャスト／ユニキャスト／送信するステップと、ホームゲートキーパーが外部／訪問中ゲートキーパーにバインド更新確認／拒否（ＢｕＣＦ／ＢｕＲＪ）をブロードキャスト／マルチキャスト／ユニキャスト／送信するステップと、ホームゲートキーパーが既訪問ゲートキーパーにモバイル開放更新メッセージ（ＵｂＲＱ）をブロードキャスト／マルチキャスト／ユニキャスト／送信するステップと、既訪問ゲートキーパーがホームゲートキーパーにモバイル開放確認／拒否（ＵｂＣＦ／ＵｂＲＪ）をブロードキャスト／マルチキャスト／ユニキャスト／送信するステップとにより行うことがことができる。
【０１２８】
実施の形態の一つでは、ホーム／外部ゲートキーパーの少なくとも一つは、ホーム／ビジター総合位置データベースを用いる。実施の形態の別の一つでは、複数のホーム／外部ゲートキーパー各々が個々のビジター位置データベースを用い、ホーム位置データベースを共有する。
【０１２９】
モバイル端末／ノード／エンティティが当初は第１管理ドメインに位置し、その後第２管理ドメインに移動する場合、登録は次の各ステップ、すなわち、モバイル端末／ノード／エンティティが外部／訪問中ゲートキーパーに登録要求メッセージ（ＲＲＱ）をブロードキャスト／マルチキャスト／ユニキャスト／送信するステップと、既訪問ゲートキーパーが訪問中ゲートキーパーにモバイル開放メッセージ（ＵｂＲＱ）をブロードキャスト／マルチキャスト／ユニキャスト／送信するステップ、既訪問ゲートキーパーが訪問中／外部ゲートキーパーに開放確認／拒否（ＵｂＣＦ／ＵｂＲＪ）をブロードキャスト／マルチキャスト／ユニキャスト／送信するステップ、訪問中ゲートキーパーがモバイル端末／ノード／エンティティに仮の登録メッセージをブロードキャスト／マルチキャスト／ユニキャスト／送信するステップ、外部／訪問中ゲートキーパーが第二管理ドメインの境界エレメントにモバイル結合メッセージ（ＢｕＲＱ）をブロードキャスト／マルチキャスト／ユニキャスト／送信するステップ、ホームゲートキーパーが第一管理ドメインの境界エレメントにモバイルバインド確認／拒否メッセージ（ＢｕＣＦ／ＢｕＲＪ）をブロードキャスト／マルチキャスト／ユニキャスト／送信するステップを備えることができる。なお、前記第２管理ドメインの境界エレメントは、前記第１管理ドメインの境界エレメントに該メッセージを送り、次いで前記第１管理用ドメイン境界エレメントがホームゲートキーパーに該メッセージを送る。また、前記第１管理ドメインの境界エレメントは、前記第２管理ドメインの境界エレメントに該メッセージを送り、次いで前記第２管理ドメインの境界エレメントが訪問中ゲートキーパーに該メッセージを送る。
【０１３０】
望まれる場合には、Ｈ．３２３モバイルゲートキーパーはモバイルエンティティ／ユーザの認証機能も果たすことができる。典型的なＨ．３２３モバイルサービスとしては、例えば、アドレス変換、アドミッション制御、帯域制御、および／またはゾーン管理などが挙げられる。
【０１３１】
モバイル・エンティティは、ＭＧＡメッセージを受けるか、拡張ＧＲＱメッセージを送信することによってバイルゲートキーパー（ＧＫ）が決定された時、登録要求（Registration ReQuest；ＲＲＱ）、登録確認（Registration ConFirmation；ＲＣＦ）、登録拒否（Registration ReJect；ＲＲＪ）メッセージをそのホームまたは外部モバイルＧＫへ送信して登録する必要がある。以下の説明は、モバイル・エンティティがホーム／外部ゾーンにありながら、それがホームまたは外部ＧＫにどのように登録するかを示す。
【０１３２】
Ｈ．３２３には、３つの登録メッセージ：ＲＲＱ、ＲＣＦ、ＲＲＪがある。モバイルには他の要求項目が導入されるので、登録メッセージはこれら他の要求項目全ても満足するように拡張される。これらの登録メッセージによって、モバイル・エンティティはホームＧＫか外部ＧＫかに登録することができる。拡張された登録要求メッセージによってモバイル・エンティティは、外部ゾーンにある現在の気付アドレスをそのホームＧＫに連絡し、モバイル・エンティティがどの位長く気付アドレスを使用したいのかを設定し、モバイル結合更新メッセージ（ＢｕＲＱ／ＢｕＣＦ，ＢｕＲＪ）を用いて外部エージェントからアベイラビリティの特別な機能を示すことができる。外部ＧＫは登録手順では受動的ＧＫと考えられ、該要求をホームＧＫに送り、その後ホームＧＫからの返答をモバイルエンティティに送り返すよう許可してもよい。
【０１３３】
Ｈ．３２３では、各ホームは単一のＧＫで管理され、このＧＫは同標準規格に規定された機能の全てを処理する唯一のエージェントである。従って、前記ＧＫは固定通信と移動通信双方のエンティティに対してサービスを提供することができる．すなわち、必要ならば、同じＧＫが、固定ユーザのサービスと並行してホームＧＫと外部ＧＫの双方の機能を果たすこともできる。従って、モバイルエンティティがモバイル関連サービスを受けようとする場合は、指定ホームＧＫと登録しなければならない。同様に、モバイルエンティティが外部ゾーンに移動する場合は、外部ゾーンのＧＫと登録しなければならず、ホームＧＫとの交信が外部ＧＫ（または訪問中ＧＫ）経由で行われ、その位置が更新される。
【０１３４】
プランニングのためには、ターゲットＧＫ関連の情報も有用である。ＧＫは全て（ターゲットＧＫおよび／またはホームＧＫ）はモバイルエンティティから将来に期待されることを明快に知ることができるからである。しかし、モバイルエンティティがターゲットゾーンで用いるトランスポートアドレスは、モバイルエンティティがターゲットＧＫに登録して初めて知ることができる。モバイルエンティティがターゲットゾーンにあるトランスポートアドレスを事前に（a prioriに）知る場合は、このようなアドレスを提供することができる。
【０１３５】
ＲＲＱメッセージは次のように拡張される。homeZoneをTRUEと設定し、モバイルエンティティがホームゾーンに登録を求めていることを示す。foreignZone（外部ゾーン）をTRUEと設定し、モバイルエンティティが外部ゾーンに登録を求めていることを示す。homeGK（ホームＧＫ）は、モバイルエンティティが外部ゾーンに入る時ゲートキーパーはホームゲートキーパーであることを示すオプショナルなメッセージ要素である。しかし、foreignZoneフィールドがTRUEに設定される場合は、ホームＧＫ関連の情報が提供される。ホームＧＫの構成は、次のようになっている。
【０１３６】
homeRASAddress（ホームＲＡＳアドレス）−ＲＡＳシグナルに用いられるトランスポートアドレス。このアドレスは、ホームゾーンにあるモバイルエンティティ用のホームトランスポートアドレスとして用いられる。
【０１３７】
homeCallSignalAddress（ホーム呼シグナルアドレス）−呼シグナルに用いられるトランスポートアドレス。このアドレスは、ホームゾーンにあるモバイルエンティティ用のホーム呼シグナルトランスポートアドレスとして用いられる。
【０１３８】
homeGKIdentifier（ホームＧＫ識別子）−ホームゲートキーパーを識別するのに用いられるオプショナルなフィールド。このhomeGKIdentifierが提供される場合は、それはホームゲートキーパーに後に送られるＲＡＳメッセージに含まれる。
【０１３９】
careOfRASAddress（気付ＲＡＳアドレス）−モバイルエンティティがそのホームゾーンではあるが、ホームサブネットワークとは異なるサブネットワークに残存している時を識別するのに用いられるオプショナルなフィールド。この気付トランスポートアドレスはＲＡＳシグナルに用いられる。このアドレスは、ホームゾーンにあるモバイルエンティティ用の気付ホームトランスポートアドレスとして用いられる。
【０１４０】
careOfCallSignalAddress（気付呼シグナルアドレス）−モバイルエンティティがそのホームゾーンではあるが、ホームサブネットワークとは異なるサブネットワークに残存している時を識別するのに用いられるオプショナルなフィールド。これは呼シグナルに用いられる気付トランスポートアドレスである。このアドレスは、ホームゾーンにあるモバイルエンティティ用の気付ホーム呼シグナルトランスポートアドレスとして用いられる。
【０１４１】
visitedZone（既訪問ゾーン）をTRUEと設定すると、新しいホームまたは外部モバイルＧＫが、登録中のモバイルエンティティの位置情報を更新するメッセージを既訪問（外部）ＧＫに送信する必要があることが示される。この既訪問ＧＫは、モバイルエンティティが現在位置に移動する前に当ゲートキーパーを以前に訪問したことを示すオプショナルなメッセージ要素である。しかし、visitedZoneフィールドがTRUEに設定される場合は、visitedGKフィールド関連の情報が提供される。既訪問ＧＫの構成は、次のようである。
【０１４２】
visitedRASAddress（既訪問ＲＡＳアドレス）−以前に訪れたゾーンにあるモバイルエンティティがＲＡＳシグナル用に使用する気付トランスポートアドレス。
【０１４３】
visitedCallSignalAddress（既訪問呼シグナルアドレス）−呼シグナルに用いられるトランスポートアドレス。このアドレスはモバイルエンティティ用の既訪問呼シグナルトランスポートアドレスとして用いられる。
【０１４４】
visitedGKIdentifier（既訪問ＧＫ識別子）−既訪問ゲートキーパーを識別するのに用いられるオプショナルなフィールド。このフィールドが提供される場合は、それは既訪問ゲートキーパーに、その後に送られるＲＡＳメッセージに含まれる。
【０１４５】
targetZone（ターゲットゾーン）をTRUEと設定すると、新しいホームまたは外部ＧＫが、登録中のモバイルエンティティの位置情報を更新するメッセージをそのターゲット（外部）ＧＫに送信する必要があることが示される。このtargetGKは、モバイルエンティティが現在の位置から移動した後に訪問しようとしていることを当該ゲートキーパーに示すオプショナルなメッセージ要素である。しかし、targetZoneフィールドがTRUEに設定される場合は、targetGK関連の情報が提供される。ターゲットＧＫの構成は、次のようなものである。
【０１４６】
targetRASAddress（ターゲットＲＡＳアドレス）−オプショナルなフィールド。このフィールドは、ターゲットゾーンにあるモバイルエンティティがＲＡＳシグナル用に使用する気付トランスポートアドレス。
【０１４７】
targetCallSignalAddress（ターゲット呼シグナルアドレス）−オプショナルなフィールド。このフィールドは、ターゲットゾーンにあるモバイルエンティティが呼シグナルに用いるトランスポートアドレスである。
【０１４８】
targetGKIdentifier（ターゲットＧＫ識別子）−モバイル局が訪問しようとしているターゲットゲートキーパーを識別するのに用いられるオプショナルなフィールド。このフィールドが提供される場合は、targetGKIdentifierはターゲットゲートキーパーにその後に送られるＲＡＳメッセージに含まれる。
【０１４９】
tarminalType（端末タイプ）は追加のオプショナルなフィールドである。国際移動体識別子（ＩＭＥＩ）、国際移動体加入者識別子（ＩＭＳＩ）、および一時的な移動体加入者識別子（ＴＭＳＩ）エイリアスアドレスも含まれる。
【０１５０】
homeZoneとforeignZoneのフィールドは、排他的でない。homeZoneフィールドをTRUEと設定する場合は、foreignZoneをTRUEと設定することはできず、逆もまた真である。foreignZoneをTRUEと設定する場合は、timeToLive（生存時間）フィールドに与えられる時間は、advertisedTimeToLive（宣言生存時間）フィールドに与えられた時間を超えない。
【０１５１】
visitedZoneは、HomeZone、foreignZone、またはtargetZoneフィールドと独立に設定することができる。targetZoneフォールドも、HomeZone、foreignZone、またはvisitedZoneフィールドと独立に設定することができる。HomeZone、foreignZone、visitedZone、およびtargetZoneフィールドがFALSEと設定される場合は、つまり、これらの拡張メッセージフィールドがどれも用いられない場合、ＧＫに登録を求めているのは固定Ｈ．３２３エンティティである。homeZoneフィールドがTRUEと設定される場合は、モバイルエンティティが登録を望んでいるＧＫはモバイルエンティティのホームＧＫである。ＲＲＱメッセージのRASAddressフィールドは、そのホームゾーンにおけるモバイルエンティティのホームＲＡＳトランスポートアドレスとなる。同様に、gatekeeperIdentifierも、ホームゾーンにあるモバイルエンティティのホームゲートキーパーを指示する。callSignalAddressフィールドは、モバイルエンティティのホーム呼シグナルトランスポートアドレスを示す。alternateEndpoints（代替エンドポイント）のトランスポートアドレスはモバイルエンティティの代替ホームトランスポートアドレスとなる。
【０１５２】
foreignZoneがTRUEに設定される場合は、homeGKフィールド関連の情報が提供される。モバイルエンティティは、外部ゾーンにいると宣言しない限りそのホームＧＫに関する情報を提供することができない。ＲＲＱメッセージのRASAddressフィールドは、一旦モバイルエンティティが外部ゾーンにいると示すと、モバイルエンティティの気付トランスポートアドレスとなる。同様に、gatekeeperIdentifierも、外部ゾーンにあるモバイルエンティティの（気付）外部ＧＫを指示する。callSingalAddressフィールドは、モバイルエンティティの気付呼シグナルトランスポートアドレスを示す。alternateEndpointsのトランスポートアドレスはモバイルエンティティの代替気付トランスポートアドレスとなる。その上、homeRASAddressとhomeCallSignalAddressトランスポートアドレスに関する追加の情報がモバイルエンティティによって提供され、これらのアドレスがそのホームゾーンにあるということをモバイルＧＫに示す。モバイルエンティティは、homeGKIdentifierフィールドにホームゲートキーパー識別子を表す。
【０１５３】
visitedZoneフィールドが真と設定される場合は、visitedGKフィールド関連の情報が提供される。モバイルエンティティが登録中のホームＧＫまたは外部ＧＫが、モバイル開放更新メッセージ（ＵｂＲＱ／ＵｂＣＦ／ＵｂＲＪ）またはモバイルバインド更新メッセージ（ＢｕＲＱ／ＢｕＣＦ／ＢｕＲＪ）を適当に用いて、既訪問ＧＫとモバイルエンティティに関する位置情報を更新する。しかし、visitedRASアドレスとvisitedCallSignalAddressトランスポートアドレスに関する追加の情報は、モバイルエンティティによって提供され、これらのアドレスがその既訪問ゾーンにあったということをモバイルＧＫに示す。モバイルエンティティは、visitedGKIdentifierフィールドに既訪問ゲートキーパー情報を提供する。
【０１５４】
targetZoneがTRUEと設定される場合は、targetGKフィールド関連の情報が提供される。モバイルエンティティが登録中のホームＧＫまたは外部ＧＫが、モバイルバインド更新メッセージ（ＢｕＲＱ／ＢｕＣＦ／ＢｕＲＪ）を用いて、ターゲットＧＫとモバイルエンティティに関する位置情報を更新する。モバイルエンティティは、targetGKIdentifierフィールドの既訪問ゲートキーパー情報を提供する。同様に、targetRASAddressとtargetCallSignalAddressに対するトランスポートアドレスも、既知ならば、モバイルエンティティによって提供される。
【０１５５】
ＲＣＦメッセージは以下のように拡張される。homeZoneをTRUEと設定すると、モバイルエンティティがホームゾーンに確認中なことが示される。
【０１５６】
foreignZoneを真と設定すると、モバイルエンティティが外部ゾーンに確認中なことが示される。
【０１５７】
visitedZoneをTRUEと設定すると、そのＧＫが既訪問ＧＫにモバイルエンティティの位置を更新するように伝えたことが確認される。
【０１５８】
targetZoneをと設定すると、そのＧＫがターゲットＧＫにモバイルエンティティの位置を更新するように伝えたことが確認される。
【０１５９】
ＲＲＱについて言えば、homeZoneとforeignZoneのフィールドは排他的ではない。homeZoneフィールドをTRUEと設定する場合は、foreignZoneをTRUEと設定することは出来ず、逆も同じである。
【０１６０】
homeZone、foreignZone、visitedZoneのフィールドがFALSEと設定される場合、つまり、これらの拡張メッセージフィールドがどれも用いられない場合、ＧＫに確認されたのは固定Ｈ．３２３エンティティの登録である。
【０１６１】
visitedZoneフィールドは、homeZone、foreignZone、またはtargetZoneフィールドと独立に設定することができる。
【０１６２】
ホームゾーンフィールドがTRUEと設定される場合は、モバイルエンティティはそのホームＧＫに登録されたことになり、ＲＲＱメッセージと一緒に送られたRASAddressフィールドはモバイルエンティティのホームゾーンにおけるホームトランスポートアドレスとなる。同様に、ＲＣＦメッセージのgatekeeperIdentifierも、ホームゾーンにあるモバイルエンティティのホームゲートキーパーを示す。ＲＣＦメッセージのcallSignalAddressフィールドは、モバイルエンティティの呼シグナルメッセージのアレイのホームトランスポートアドレスを示す。ＲＣＦメッセージのalternateGatekeeperのトランスポートアドレスは、モバイルエンティティの代替ホームＧＫの代替ホームトランスポートアドレスとなる。
【０１６３】
外部ゾーンフィールドがTRUEと設定される場合は、モバイルエンティティがその外部ＧＫに登録されたことが確認される。ＲＲＱメッセージのRASAddressフィールドはモバイルエンティティの気付トランスポートアドレスとなる。同様に、gatekeeperIdentifierも、外部ゾーンにあるモバイルエンティティの気付外部ゲートキーパーＧＫを示すことが確認される。callSignalAddressフィールドは、モバイルエンティティの気付呼シグナルトランスポートアドレスを示す。alternateGatekeeperのトランスポートアドレスは、モバイルエンティティの代替外部ＧＫの代替気付トランスポートアドレスとなる。
【０１６４】
visitedZoneフィールドがTRUEと設定される場合は、既訪問ＧＫがこのＧＫ（ホームまたは外部）から告知を受けたことが確認され、モバイルエンティティに関する位置情報が更新される。
【０１６５】
targetZoneフィールドがTRUEと設定される場合は、ターゲットＧＫがこのＧＫ（ホームまたは外部）から告知を受けたことが確認され、モバイルエンティティに関する位置情報が更新される。
【０１６６】
ＲＲＪメッセージは以下のように拡張される。
【０１６７】
exceedTimeToLive（生存時間超過）は、モバイルエンティティに要求される生存時間パラメータがモバイルＧＫの宣言された生存時間を超えることを示すオプショナルなフィールドである。
【０１６８】
homeGKUnreachable（ホームＧＫ通信不能）は、ホームＧＫにアクセスできないことを示すオプショナルなフィールドである。モバイルエンティティが登録を試みる外部ＧＫは、モバイルのホームＧＫにアクセスできないならば登録を拒否して差し支えない。
【０１６９】
visitedGKUnreachable（既訪問ＧＫ通信不能）は、既訪問ＧＫに通信できないことを示すオプショナルなフィールドである。モバイルエンティティが登録を試みる外部またはホームＧＫは、モバイルの前に訪問したＧＫにアクセスできないならば登録を拒否して差し支えない。
【０１７０】
targetGKUnreachable（ターゲットＧＫ通信不能）は、ターゲットＧＫに到達できないことを示すオプショナルなフィールドである。モバイルエンティティが登録を試みる外部またはホームＧＫは、モバイルのターゲットＧＫに到達できないならば登録を拒否して差し支えない。
【０１７１】
従って、アクセス不能情報のメッセージ情報のいずれかをあるいは全部を選択するかどうかは、ＲＲＪメッセージを送る特定の処理内容次第で決めることができる。
【０１７２】
ＵＲＱ（Unregistration ReQuest；登録解除要求）メッセージは以下のように拡張される。
【０１７３】
homeZoneをTRUEに設定すると、ホームＧＫとモバイルエンティティとの間の連関が切断されることが示される。
【０１７４】
foreignZoneをTRUEに設定すると、外部ＧＫとモバイルエンティティとの間の連関が切断されることが示される。
【０１７５】
上記のように、homeZoneとforeignZoneのフィールドはモバイルエンティティに対して排他的ではない。homeZoneフィールドをTRUEと設定する場合は、foreignZoneをTRUEに設定することは出来ず、逆もそうである。
【０１７６】
homeZoneとforeignZoneのフィールドが双方ともFALSEと設定される場合は、つまり、これらの拡張メッセージフィールドがどれも用いられない場合、ＧＫに求められたのは固定Ｈ．３２３エンティティの登録解除である。
【０１７７】
homeZoneフィールドがTRUEと設定される場合は、ＵＲＱメッセージのgatekeeperIdentifierフィールドは、ホームゾーンにあるモバイルエンティティの代替ホームゲートキーパーリストを、登録した時ゲートキーパーからのＲＣＦメッセージに、あるいは以前のＵＲＪメッセージに受けたことを示す。これは、オリジナルのＧＫが要求に応答しなかったり、これを拒否したりした場合のバックアップとして用いられる。ＵＲＱメッセージのcallSignalAddressフィールドは、モバイルエンティティの呼シグナルメッセージのアレイのホームトランスポートアドレスを示す。
【０１７８】
foreignZoneフィールドがTRUEと設定される場合は、ＵＲＱのgatekeeperIdentifierフィールドは、外部ゾーンにあるモバイルエンティティの（気付）外部ゲートキーパーＧＫリストを、登録した時ゲートキーパーからのＲＣＦメッセージに、あるいは以前のＵＲＪメッセージに受けたことを示す。callSignalAddressフィールドは、モバイルエンティティの呼シグナルメッセージのアレイの気付トランスポートアドレスを示す。
【０１７９】
ＵＣＦ（UnConFirmed；未確認）メッセージも以下のように拡張される。
【０１８０】
homeZoneをTRUEに設定すると、ホームＧＫとモバイルエンティティとの間の連関がモバイルエンティティのホームゾーンで切断されたことが確認される。
【０１８１】
foreignZoneをTRUEに設定すると、外部ＧＫとモバイルエンティティとの間の連関がモバイルエンティティの外部ゾーンで切断されたことが確認される。
【０１８２】
上記のように、homeZoneとforeignZoneのフィールドはモバイルエンティティに対して排他的ではない。homeZoneフィールドをTRUEと設定する場合は、foreignZoneをTRUEと設定することは出来ず、逆もそうである。
【０１８３】
homeZoneとforeignZoneのフィールドが双方ともFALSEと設定される場合は、つまり、これらの拡張メッセージフィールドがどれも用いられない場合、ＧＫに確認されたのは固定Ｈ．３２３エンティティの登録解除（unregistration）である。
【０１８４】
ＵＲＪ（Unregistration Request Rejection；登録解除要求拒否）は以下のように拡張される。
【０１８５】
homeZoneをTRUEに設定されていると、登録解除要求がモバイルのホームゾーンで拒否されたことが示される。
【０１８６】
foreignZoneをTRUEに設定されていると、登録解除要求がモバイルの外部ゾーンで拒否されたことが示される。
【０１８７】
上記のように、homeZoneとforeignZoneのフィールドはモバイルエンティティに対して排他的ではない。homeZoneフィールドをTRUEと設定する場合は、foreignZoneをTRUEと設定することは出来ず、逆もそうである。homeZoneとforeignZoneのフィールドが双方ともFALSEと設定される場合は、つまり、これらの拡張メッセージフィールドがどれも用いられない場合、ＧＫに拒否されたのは固定Ｈ．３２３エンティティの登録解除である。
【０１８８】
モバイルエンティティが一の接続ポイントからもう一つ別の接続ポイントへ移動するにつれて、新しい接続ポイントを更新する必要がある。メッセージは、バインド更新要求（ＢｕＲＱ）、バインド更新確認（ＢｕＣＦ）、およびバインド更新拒否（ＢｕＲＪ）である。これらのメッセージは、ＧＫ間に送られ、接続ポイントが変化するに連れてその位置情報を更新する。モバイルエンティティからＲＲＱメッセージを受けると、モバイルＧＫはモバイルバインド更新メッセージを適切にホームおよび／または既訪問（外部）ＧＫに送る。ＢｕＲＱは、モバイルエンティティ関連の位置情報をゲートキーパーが更新することを要求する。ゲートキーパーはＢｕＣＦに応答して更新を確認し、あるいはＢｕＲＪで要求を拒否する。
【０１８９】
ＢｕＲＱメッセージは普通、次のフィールドを備える。
【０１９０】
すなわち、requestSeqNum（要求シーケンスナンバー）は送信側にユニークな単調増大する値を有するフィールドである。これは、送られた具体的なメッセージに関連するどのメッセージにおいても受信側が送り返すものである。
【０１９１】
nonStandardData（非標準データ）は規定されないデータ、例えば、法的権利関係情報を含むフィールドである。
【０１９２】
endpointIdentifier（エンドポイント識別子）はＲＣＦが端末に付したエンドポイント識別子を有するフィールドである。
【０１９３】
replyAddress（回答アドレス）はＢｕＣＦ／ＢｕＲＱを送るトランスポートアドレスを示すフィールドである。
【０１９４】
sourceInfo（ソース情報）はＢｕＲＱの送信者を示すフィールドである。ゲートキーパーはこの情報を用いて、ＢｕＲＱにどのように応答するかを決めることができる。
【０１９５】
callSignalAddress（呼シグナルアドレス）は、接続ポイントが変わるときに更新が必要なエンドポイント用の新しい呼シグナルトランスポートアドレスを示すフィールドである。多重トランスポートをサポートする場合は、これらを一斉に更新しなければならない。
【０１９６】
RASAddress（ＲＡＳアドレス）は、接続ポイントが変わるために更新が必要なエンドポイント用の新しいトランスポートアドレスを示すフィールドである。
【０１９７】
homeZoneをTRUEに設定すると、ＢｕＲＱの送信者がモバイルエンティティのそのホームゾーンの接続ポイントの更新を要求していることが示される。
【０１９８】
foreignZoneをTRUEに設定すると、ＢｕＲＱの送信者が、外部ゾーンに現在訪れている間にモバイルエンティティの接続ポイントの更新を要求していることが示される。
【０１９９】
homeGK（ホームＧＫ）は、モバイルエンティティがこの外部ゾーンに入る時ゲートキーパーがそのホームキーパーとして機能することを示すのに用いられるオプショナルフィールドである。しかし、foreignZoneフィールドがTRUEに設定される場合は、ホームＧＫフィールド関連の情報が提供される。ホームＧＫの構成には、次の要素が含まれる。
【０２００】
すなわち、homeRASAddress（ホームＲＡＳアドレス）−ＲＡＳシグナルに用いられるトランスポートアドレス。このアドレスはホームゾーンにあるモバイルエンティティ用のホームトランスポートアドレスとして用いられる。
【０２０１】
homeCallSingnalAddress（ホーム呼シグナルアドレス）−呼シグナルに用いられるトランスポートアドレス。このアドレスはホームゾーンにあるモバイルエンティティ用のホーム呼シグナルトランスポートアドレスとして用いられる。
【０２０２】
homeGKIdentifier（ホームＧＫ識別子）−ホームゲートキーパーを識別するのに用いることができるオプショナルフィールド。このホームＧＫ識別子が提供される場合は、それはホームゲートキーパーに送られるＲＡＳメッセージに含まれる。
【０２０３】
foreignGK（外部ＧＫ）−モバイルエンティティが現在訪れている外部ゲートキーパーを示すオプショナルなメッセージ要素である。しかし、foreignGKフィールドがTRUEに設定される場合は、foreignGKフィールド関連の情報が提供される。既訪問ＧＫの構成には、次の要素が含まれる。
【０２０４】
すなわち、foreignRASAddress（外部ＲＡＳアドレス）−現在訪れた（外部）ゾーンにあるモバイルエンティティがＲＡＳシグナル用に用いた気付トランスポートアドレス。
【０２０５】
foreignCallSignalAddress（外部呼シグナルアドレス）−現在訪れた（外部）ゾーンにあるモバイルエンティティが呼シグナル用に用いたトランスポートアドレス。このアドレスは、モバイルエンティティ用の既訪問呼シグナルトランスポートアドレスとして用いられる。
【０２０６】
foreignGKIdentifier（外部ＧＫ識別子）−現在訪れた（外部）ゲートキーパーを識別するのに用いられるオプショナルフィールド。この外部ＧＫ識別子が提供される場合は、それは既訪問ゲートキーパーに送られる将来のＲＡＳメッセージに含まれる。
【０２０７】
visitedZone（既訪問ゾーン）−がTRUEに設定されると、訪問ＧＫが、登録中のモバイルエンティティの位置情報を更新するメッセージを以前に訪問された（外部）ＧＫへ送ったことが示される。
【０２０８】
visitedGK（既訪問ＧＫ）−現在位置に動く前に当ゲートキーパーを以前に訪問したことを示すオプショナルなメッセージ要素である。しかし、既訪問ゾーンフィールドがTRUEに設定される場合は、既訪問ＧＫ関連の情報が提供される。既訪問ＧＫの構成には、次の要素が含まれる。すなわち、
visitedRASAddress（既訪問ＲＡＳアドレス）−前に訪れたゾーンにあるモバイルエンティティがＲＡＳシグナル用に用いた気付トランスポートアドレス。
【０２０９】
visitedCallSignalAddress（既訪問呼シグナルアドレス）−呼シグナルに用いられるトランスポートアドレス。このアドレスはモバイルエンティティ用の既訪問呼シグナルトランスポートアドレスとして用いられる。
【０２１０】
visitedGKIdentifier（既訪問ＧＫ識別子）は既訪問ＧＫを識別するのに用いられるオプショナルフィールド。このフィールドが提供される場合は、それは既訪問ゲートキーパーに送られる将来メッセージに含まれる。
【０２１１】
targetZone（ターゲットゾーン）がTRUEに設定されると、新しいホームまたは外部モバイルＧＫが、登録中のモバイルエンティティの位置情報を更新するメッセージをそのターゲット（外部）ＧＫに送信する必要があることが示される。
【０２１２】
targetGK（ターゲットＧＫ）は、モバイルエンティティが現在位置から移動した後に訪問しようとしていることを当該ゲートキーパーに示すオプショナルなメッセージ要素である。しかし、targetZoneフィールドがTRUEに設定される場合は、targetGK関連の情報が提供される。ターゲットＧＫの構成には、次の要素が含まれる。
【０２１３】
すなわち、targetRASAddress（ターゲットＲＡＳアドレス）−ターゲットゾーンにあるモバイルエンティティがＲＡＳシグナル用に用いた気付トランスポートアドレスを有するオプショナルなフィールド。
【０２１４】
targetCallSignalAddress（ターゲット呼シグナルアドレス）−ターゲットゾーンにあるモバイルエンティティが呼シグナル用に用いるトランスポートアドレスを有するオプショナルなフィールド。
【０２１５】
targetGKIdentifier（ターゲットＧＫ識別子）−モバイルエンティティが訪問しようとしているターゲットゲートキーパーを識別するのに用いられるオプショナルなフィールド。このフィールドが提供される場合は、ターゲットゲートキーパーにその後に送られようとしているＲＡＳメッセージに含まれる。
【０２１６】
terminalType（端末タイプ）は、国際移動体識別子（ＩＭＥＩ）、国際移動体加入者識別子（ＩＭＳＩ）、および一時的な移動体加入者識別子（ＴＭＳＩ）エイリアスアドレスに用いられるオプショナルなフィールドである。
【０２１７】
advertisedTimeToLive（宣言生存時間）は、現在訪問中の外部ＧＫとの登録の妥当な継続時間を、普通は秒単位で示すフィールドである。この時間の経過後は、ゲートキーパーは登録を意味がなく／既に適切なものでないとして扱うことができる。この継続時間はＭＧＡまたはＧＣＦメッセージの継続時間を超えないように設定される。
【０２１８】
token（トークン）フィールドは操作に必要なデータを含む。このデータは、利用可能ならばメッセージに挿入される。
【０２１９】
cryptotoken（暗号化トークン）フィールドは暗号化されたトークンを含む。
【０２２０】
integrityCheckValue（一貫性チェック値）はＲＡＳメッセージの改良されたメッセージ一貫性／メッセージ認証を提供するのに用いられるフィールドである。暗号技術に基づいた一貫性チェック値は、合意された一貫性アルゴリズムと秘密キーを全メッセージに適用して送信側が計算する。integrityCheckValueを計算する前は、このフィールドは無視され、空白である。計算後に送信側は、計算された一貫性チェック値を、integrityCheckValueフィールドの一貫性チェック値の個所に入力し、該メッセージを送信する。
【０２２１】
ＢｕＣＦメッセージは普通、次のフィールドを備える。
【０２２２】
すなわち、requestSeqNum（要求シーケンスナンバー）−送信側にユニークな単調増大する値を有するフィールドである。これは、送られた具体的なメッセージに関連するどのメッセージにおいても受信側が送り返すものである。
【０２２３】
nonStandardData（非標準データ）−規定されない情報、例えば、法的権利情報を収めるフィールド。
【０２２４】
endpointIdentifier（エンドポイント識別子）−ＲＣＦが端末に付したエンドポイント識別子を有するフィールド。
【０２２５】
TimeToLive（生存時間）−現在訪問中の外部ＧＫとの登録の妥当性の継続時間を、普通は秒単位で示すオプショナルなフィールド。この時間の後は、訪問中の外部ゲートキーパーは登録を意味をなさず／既に妥当でなくなったとして扱うことができる。この継続時間は、ＢｕＲＱ中に与えられているadvertisedTimeToLive（宣言された生存時間）を超えないように設定される。
【０２２６】
homeZone（ホームゾーン）−TRUEに設定されると、モバイルエンティティの位置情報がそのホームゾーンのそのホームＧＫによって更新されたことが示される。
【０２２７】
visitedZone（既訪問ゾーン）−TRUEに設定されると、モバイルエンティティの位置情報が、モバイルエンティティに以前に訪問された外部ＧＫによって更新されたことが示される。
【０２２８】
cryptotoken（暗号トークン）フィールドは暗号トークン、すなわち、暗号化されたトークン用フィールドである。
【０２２９】
integrityCheckValue（一貫性チェック値）−ＲＡＳメッセージのメッセージ一貫性やメッセージ認証を提供するフィールド。暗号技術に基づいた一貫性チェック値は、事前設定された（合意された）一貫性アルゴリズムと秘密キーを全メッセージに適用して送信側が計算する。integrityCheckValueを計算する前は、このフィールドは無視され、空白である。計算後に送信側は、計算された一貫性チェック値を、integrityCheckValueフィールドに入力し、該メッセージを送信する。
【０２３０】
ＢｕＲＪメッセージは以下のフィールドを含む。
【０２３１】
requestSeqNum（要求シーケンスナンバー）−送信側にユニークな単調に増大する値を設定したフィールド。
【０２３２】
nonStandardData（非標準データ）−規定されない情報、例えば、法的権利関係情報を収めるフィールド。
【０２３３】
endpointIdentifier（エンドポイント識別子）−ＲＣＦが端末に付したエンドポイント識別子を有するフィールド。
【０２３４】
rejectionReason（拒否理由）−モバイルの配置関連のバインド更新を拒否した理由を示すフィールド。拒否理由の構造は以下のフィールドを含む。
【０２３５】
homeGKUnreachable（ホームＧＫ通信不能）−ホームＧＫに通信できないために、モバイルの配置更新のためのそのホームＧＫとのモビリティバインドが拒否されたことを示すオプショナルなフィールドである。
【０２３６】
visitedGKUnreachable（既訪問ＧＫ通信不能）−モビリティバインド更新メッセージを送信すべき既訪問外部ＧＫに到達できないことを示すオプショナルなフィールドである。
【０２３７】
targetGKUnreachable（ターゲットＧＫ通信不能）−モビリティバインド更新メッセージを送信すべきターゲット外部ＧＫにアクセスできないことを示すオプショナルなフィールドである。
【０２３８】
notRegistrated（未登録）−モバイルエンティティが登録されていないことを示すのに用いられるオプショナルなフィールドである。
【０２３９】
invalidPermission（許可無効）−管理上または、関連する他の理由により、排除されることを示すのに用いられるオプショナルなフィールドである。
【０２４０】
undefinedReason（不定義理由）−拒否理由が定義されていないことを示すのに用いられるオプショナルなフィールドである。
【０２４１】
securityDenial（セキュリティ拒否）−拒否が機密上の理由によることを示すのに用いられるオプショナルなフィールドである。
【０２４２】
トークンフィールドを用いることで操作に必要なデータは保持される。このデータは、アベイラブルであればメッセージ中に挿入される。
【０２４３】
暗号トークンフィールドは、暗号トークンすなわち暗号化されたトークン用として使用される。
【０２４４】
一貫性チェック値は、ＲＡＳメッセージのより有用なメッセージ一貫性のチェックやメッセージ認証を行うためのフィールドである。この暗号に基づく一貫性チェック値は、送信者が事前に合意した一貫性アルゴリズムと秘密キーを用いて算出する。
【０２４５】
移動体エンティティがある接続機構のポイントから別のポイントに移動する際に、新しい接続機構のポイントを更新する必要がある。新しい移動体バインド解除（解放）メッセージは、モバイル解放要求（ＵｂＲＱ）、モバイル解放確認（ＵｂＣＦ）、およびモバイル解放拒否（ＵｂＲＪ）である。これらのメッセージが各ＧＫ間で送信されることで、移動体エンティティの古い位置情報は削除される。
【０２４６】
モバイル解放要求メッセージ（ＵｂＲＱ）を受信すると、移動体ＧＫは移動体エンティティの位置を削除する。ＵｂＲＱメッセージは、一般に以下のフィールドを含む。
【０２４７】
requestSeqNum（要求シーケンスナンバー）は、送信者に特有の単調に増加する値をもつフィールドである。このフィールドは、送信された特定のメッセージに関連する全てのメッセージ内で受信者により返信される。
【０２４８】
nonStandradData（非標準データ）は、例えば法的権利関係の情報など、定義されていない情報を含むフィールドである。
【０２４９】
endpointIdentifier（エンドポイント識別子）は、ＲＣＦによって端末に割り当てられたエンドポイント識別子をもつフィールドである。
【０２５０】
gatekeeperIdentifier（ゲートキーパー識別子）は、ゲートキーパーを識別する文字列をもつフィールドであって、該ゲートキーパーのゾーンに存在した移動体エンティティの位置情報の削除に必要な文字列をもつフィールドである。
【０２５１】
homeGK（ホームＧＫ）は、移動体ＧＫによって位置情報が削除される必要がある移動体エンティティのホームゲートキーパーとなるゲートキーパーを示すフィールドである。しかしながら、一般にホームＧＫフィールドの構造は、前記移動体エンティティを特定して識別するために、次のものを含む。
【０２５２】
homeRASAddress（ホームＲＡＳアドレス）−ＲＡＳ信号用のトランスポートアドレス、このアドレスは、移動体エンティティがその移動体エンティティのＧＫのゾーンに存在する間に移動体エンティティがホームトランスポートアドレスとして使用するアドレスである。
【０２５３】
HomeGKIdentifier（ホームＧＫ識別子）−オプショナルなフィールドであって、移動体エンティティのホームゲートキーパーを識別するフィールド、このフィールドが与えられると移動体エンティティのホームＧＫを識別することができる。
【０２５４】
トークンフィールドを用いることで操作に必要なデータは保持される。このデータは、アベイラブルであれば、メッセージ中に挿入される。
【０２５５】
暗号トークンフィールドは、暗号トークンすなわち暗号化されたトークン用として使用される。
【０２５６】
一貫性チェック値は、ＲＡＳメッセージの一貫性チェックやメッセージ認証を行うためのフィールドである。この暗号に基づく一貫性チェック値は、事前に合意された整合性アルゴリズムと秘密キーとを用いて、送信者が算出する。一貫性チェック値算出前にこのフィールドの値は空であるとして無視される。算出後、送信者は算出された一貫性チェック値をintegrityCheck（一貫性チェック）フィールドに含めて、メッセージを送信する。
【０２５７】
解放確認メッセージ（ＵｂＣＦ）は、移動体ＧＫが移動体エンティティの位置情報を消去したことを確認するものである。ＵｂＣＦメッセージは一般に以下のフィールドを含む。
【０２５８】
requestSeqNum（要求シーケンスナンバー）は、送信者に固有の単調増加する値をもつフィールドである。このフィールドは、送信された特定のメッセージに関連する全てのメッセージ内で受信者により返信される。
【０２５９】
nonStandardData（非標準データ）は、例えば法的権利関係の情報などの定義されていない情報を搬送するフィールドである。
【０２６０】
endpointIdentifier（エンドポイント識別子）は、ＲＣＦによって端末に割り当てられたエンドポイント識別子をもつフィールドである。
【０２６１】
gatekeeperIdentifier（ゲートキーパー識別子）は、ゲートキーパーを識別する文字列をもつフィールドであって、当該ゲートキーパーのゾーンに存在した移動体エンティティの位置情報の削除に必要な文字列をもつフィールドである。
【０２６２】
トークンフィールドを用いることで処理に必要なデータは保持される。このデータは、アベイラブルであれば、メッセージ中に挿入される。
【０２６３】
暗号トークンフィールドは、暗号トークンすなわち暗号化されたトークン用として使用される。
【０２６４】
一貫性チェック値は、ＲＡＳメッセージのメッセージの一貫性チェック／メッセージ認証を行うためのフィールドである。この暗号に基づく一貫性チェック値は、送信者がメッセージ全体に付加した事前に合意された一貫性アルゴリズムと秘密キーを用いて算出される。一貫性チェック値の算出前にこのフィールドは空であるとして無視される。算出後、送信者は算出された一貫性チェック値を一貫性チェック値フィールドに入れて、メッセージを送信する。
【０２６５】
解放拒否（ＵｂＲＪ）メッセージは一般に以下のフィールドを含む。
【０２６６】
requestSeqNum（リクエスト連続番号）−送信者に固有の単調増加値をもつフィールド。
【０２６７】
nonStandardData（非標準データ）−例えば固有情報などの定義されていない情報を含むフィールド。
【０２６８】
endpointIdentifier（エンドポイント識別子）−ＲＣＦによって端末に割り当てられたエンドポイント識別子をもつフィールド。
【０２６９】
rejectReason（拒否理由）−移動体位置に対応したバインド更新が否認された理由を示すフィールド。
【０２７０】
上記拒否理由は、次の構造を有する。
【０２７１】
homeGKInconsistent（ホームＧＫ不整合）−必要に応じて含まれるフィールドであって、位置情報を消去する必要のある移動体エンティティのホームＧＫに関する情報が不整合であるか否かを示すフィールド。
【０２７２】
GKUnreachable（ＧＫ通信不能）−必要に応じて含まれるフィールドであって、モビリティバインド更新メッセージを送信するべきＧＫに当該メッセージがアクセス不能か否かを示すフィールド。
【０２７３】
notRegistrated（非登録）−移動体エンティティが登録されていないことを示すために用いられるフィールド。
【０２７４】
invalidPermission（無効許可）−管理上または他の関連の理由による除外を示すために用いられるフィールド。
【０２７５】
undefinedReason（非定義理由）−否認の理由が定義されていないことを示すために用いられるフィールド。
【０２７６】
securityDenial（セキュリティ否認）−否認がセキュリティ上の理由によることを示すために用いられるフィールド。
【０２７７】
トークンフィールドを用いることで操作に必要なデータは保持される。このデータは、有用であれば、メッセージ中に挿入される。
【０２７８】
暗号トークンフィールドは、暗号トークンすなわち暗号化されたトークン用として使用される。
【０２７９】
一貫性チェック値は、ＲＡＳメッセージのより有用なメッセージの一貫性チェック／メッセージ認証を行うためのフィールドである。この暗号に基づく一貫性チェック値は、送信者が事前に合意された一貫性アルゴリズムと秘密キーを用いて算出する。
【０２８０】
その他のＨ．３２３／Ｈ．２２５信号メッセージについて述べると、ＬＲＱは拡張を必要としない。ＬＣＦは一般に次のように拡張される。
【０２８１】
homeZone（ホームゾーン）−オプショナルなフィールドであって、次の表に示すようにTRUE、FALSEのいずれかに設定される。
【０２８２】
また、VisitingZone（訪問中ゾーン）−オプショナルなフィールドであって、下記表に示すようにTRUE、FALSEのいずれかに設定される。
【０２８３】
【表１】
0005097998.tif 000002
エンティティが固定されたエンティティである場合は、ホームゾーンまたは外部ゾーンのいずれも使用されない。
【０２８４】
ＬＲＪメッセージフィールドは一般に次のように拡張される。
【０２８５】
拒否理由フィールドは、
invalidHomeVisitingZoneSet（ホーム訪問中ゾーン集合無効）−ホームゾーンと訪問中ゾーンの両方がFALSEまたはTRUEのいずれかに設定される場合にホームおよび訪問中ゾーン設定無効を含む。
【０２８６】
Ｈ．３２３モビリティ管理によって、コネクションレスおよびコネクション指向ネットワークの両方のパケット網を通じたマルチメディア通信が可能になる。このモビリティ管理は、次を含む：
ディスカバリ（Discovery）、
登録、
位置更新、
呼確立、
ローミング、
ハンドオーバ（ハンドオフ）
Ｈ．３２３では、呼の確立と終了はそれぞれ呼の前と後に行われる。本発明のＨ．３２３の拡張によって、ローミング能力とハンドオーバの実行能力をもつモビリティサービスが提供される。ただし、呼確立ローミングおよびハンドオーバについては、端末、ユーザ、およびサービスのモビリティを基に説明を行う。
【０２８７】
移動体エンティティは、ある接続機構のポイントから別のポイントに移動する際に、ＭＧＡメッセージによってあるいはＧＲＱメッセージの送信によって移動体ＧＫを発見する。ＧＫが決定されると、エンドポイントがそのＧＫに登録され、ＲＡＳチャネルを通じてシステムにアクセスできるようになる。しかしながら、Ｈ．３２３では、呼の確立と終了はそれぞれ呼の前と後に行われる。本発明のＨ．３２３の拡張によって、ローミング能力とハンドオーバの実行能力をもつモビリティサービスが提供される。
【０２８８】
移動体エンティティは、ある接続機構のポイントから別のポイントに移動する際に、ＭＧＡメッセージによってあるいはＧＲＱメッセージの送信によって移動体ＧＫを発見する。ＧＫが決定されると、エンドポイントがそのＧＫに登録され、ＲＡＳチャネルを通じてシステムにアクセスできるようになる。Ｈ．３２３移動体エンティティの接続が確立されてＨ．３２３エンティティがある場所から別の場所にローミングすると、接続機構のポイント（ネットワーク（例えばＩＰアドレス）またはＨ．３２３（ゾーンまたはドメインの境界））は変化する。移動体ＧＫは、ＭＧＡ宣言メッセージを送信することによって該ＧＫ自身に通知を行う。これらの接続は、前記Ｈ．３２３移動体エンティティの接続がハンドオフされなければ切断される。登録された生存期間が切れると、論理的にエンティティもまた接続が切れると考えられる。しかしながら、新しい接続機構のポイントの発見または検出は、次のいずれかの方法によって行うことができる。
【０２８９】
宣言生存期間：生存期間が切れた場合は論理的にエンティティはネットワークに接続されないと考えられるため、この検出方法はＭＧＡメッセージ本体内の期間フィールドに基づく。移動体エンエィティは、全ての移動体ゲートキーパー宣言（ＭＧＡ）メッセージで受信した期間を、その期間が切れるまで記録する。移動体エンティティが移動体ＧＫとの接続を保持していなかった場合は、移動体エンティティは新たな移動体ＧＫの要請に努める必要がある。
【０２９０】
ゾーンおよび接続機構のネットワークポイントのアドレスプリフィクス：この方法では、ＭＧＡメッセージのゾーンレンジ（zoneRange）フィールドによって供給されるトランスポートアドレスプリフィクス（例えばＩＰサブネットワークアドレスまたはＩＰアドレス）が使用される。移動体エンティティは、該エンティティが所定のゾーン内に存在するか否かを、新しく受信したＭＧＡメッセージのアドレスプリフィクスを調べることによって検出することができる。ただし、移動体エンティティは、該エンティティが所定のゾーンに存在することを検出すると、次に同じかあるいは異なる接続機構のネットワークポイントのいずれに存在するかを知る必要がある。移動体エンティティが所定の接続機構のネットワークポイント（例えばＩＰアドレス）に存在するか否かを検出するためには、前記エンティティは現在移動しているネットワークアドレスを知る必要がある。この操作は、ネットワーク層での実行事項である。例えば、ネットワーク層のエンティティ（例えば移動体ＩＰのホーム／外部エージェント）がネットワークアドレスプリフィクス（例えばＩＰアドレス）を宣言する。Ｈ．３２３移動体エンティティが所定のゾーンの所定のネットワークに存在する場合は、該エンティティはそのネットワーク層のエンティティによるネットワークの宣言メッセージを受け取ると考えられる。このようにして、移動体エンティティは、新しく受信した宣言されたネットワークアドレスが、移動体エンティティのホームまたは現在の気付トランスポートアドレスと同じサブネット上で受信されたか否かを判定する。アドレスが異なる場合は、移動体エンティティは該エンティティが移動したものと判断する。移動体エンティティが所定のゾーンから別のゾーンに移動したか否かを、そのエンティティが検出できることは明らかである。所定のゾーンに存在する場合は、エンティティは、現在の接続機構内のネットワークポイントから移動したか否かを検出することもできる。
【０２９１】
移動体エンティティは、自身が外部ゾーンに存在することを発見した後、上記新たなゾーンの新たなサブネットワークの新たな気付トランスポートアドレスを、新たなルータによって宣言されたプリフィクスから取得して、位置更新手順を実行する。移動体Ｈ．３２３においては（移動体ＩＰでの類似の手順と同様に）、移動体エンティティの登録メッセージがホームエージェントにおけるモビリティバインドをトリガし、特定されたバインド期間の間に、移動体エンティティのホームトランスポートアドレスを新たな気付トランスポートアドレスと関連付ける。
【０２９２】
ＧＫが発見されると、前述の拡張されたＲＲＱ／ＲＣＦ／ＲＲＪメッセージを用いること以外は、従来周知のＨ．３２３規格記載の手順と同じ手順が用いられる。Ｈ．３２３規格においては、登録は、エンドポイントがゾーンに加わって、ゲートキーパーにトランスポートアドレスとエイリアスアドレスを通知するために用いる操作であった。本発明では、全エンドポイントは、構成操作の一部として、ディスカバリ操作で識別されたゲートキーパーを用いて登録を行う。登録は全ての呼の開始前に行われ、必要に応じて周期的に行われる（例えばエンドポイントのパワーアップ時）。単一のゲートウェイまたはＭＣＵがそれぞれ単一または複数のトランスポートアドレスを登録する。複数のトランスポートアドレスを用いることで、特定ポートへの呼のルーティングを簡単に行うことができる。
【０２９３】
エンドポイントからのゲートキーパーへの登録リクエスト（ＲＲＱ）の送信は、このリクエストをゲートキーパーのＲＡＳチャネルトランスポートアドレスに送信することにより行われる。エンドポイントは、ゲートキーパーディスカバリ過程で得たゲートキーパーのネットワークアドレスをもち、かつ周知のＲＡＳチャネルＴＳＡＰ識別子を使用する。ゲートキーパーは登録確認（ＲＣＦ）または登録拒否（ＲＲＪ）のいずれかを用いて応答する。一つのエンドポイントは一つのゲートキーパーのみを用いて登録を行う。
【０２９４】
このＲＲＱの送信は周期的に（すなわち端末のパワーアップ時に）繰り返されるため、ゲートキーパーは同じエンドポイントからの複数のリクエストを処理することができる。ゲートキーパーは、アクティブな（active）登録と同じエイリアスアドレスおよびトランスポートアドレスをもつＲＲＱを受信した場合は、はＲＣＦを用いて応答する。アクティブな登録と同じエイリアスアドレスおよび異なるトランスポートアドレスをもつＲＲＱを受信した場合は、ゲートキーパーはそのリクエストが該ゲートキーパーのセキュリティ方針に準じているかどうかを前記リクエストに確認する。準じていなければ、ゲートキーパーは、二重登録を示す登録を拒絶する。アクティブな登録と同じトランスポートアドレスおよび異なるエイリアスアドレスをもつＲＲＱを受信した場合は、ゲートキーパーは変換テーブルエントリを置き換える必要がある。ゲートキーパーはこれらの変更の認証体系を保有することができる。
【０２９５】
ゲートキーパーによって、各エイリアスアドレスはそれぞれ一つのトランスポートアドレスに特定されて変換される。しかしながら、一つのエンドポイントが、ＲＡＳメッセージ内の代替エンドポイント（alternateEndpoint）構造を用いてバックアップ、冗長、または代替トランスポートアドレスを示すことも可能である。これにより、エンドポイントは、二次的なネットワークインタフェースまたは二次的なＨ．３２３エンドポイントをバックアップとしてもつことが可能になる。不明確な登録はゲートキーパーによって拒絶される。ディスカバリにおける変化やセキュリティ上の理由などの他の理由で、ゲートキーパーが登録を拒否することもある。
【０２９６】
エンドポイントがＲＲＱメッセージ内にエイリアスアドレスを含んでいない場合は、ゲートキーパーはエイリアスアドレスを指定することができる。ゲートキーパーは指定されたエイリアスアドレスをＲＣＦメッセージ内で端末に返信する。
【０２９７】
各移動体エンティティの登録生存期間は有限であって、ローミングの間に登録を行う必要がある。移動体エンティティの位置は、登録（ＲＲＱ／ＲＣＦ／ＲＲＪ）メッセージおよびモビリティバインド（ＢｕＲＱ／ＢｕＣＦ／ＢｕＲＪ）メッセージを用いて更新される。移動体があるサブネットから別のサブネットまたはあるゾーンから別のゾーンに移動する際の移動体位置の更新は、モビリティ管理と呼ばれる。
【０２９８】
ある実施形態では、コンピュータで実行可能なステップをもつコンピュータで読み取り可能な媒体（７０２）を用いて、パケット網を通じたリアルタイムの移動体マルチメディア通信および会話用のＨ．３２３に基づくモビリティプロトコルが、移動体端末のノード／エンティティによって実行される。パケット網において、複数のＨ．３２３モビリティゲートキーパーが、一つのマルチキャストアドレスをもつモビリティゲートキーパー宣言を周期的にブロードキャスト／マルチキャスト／ユニキャストすることによって、Ｈ．３２３モビリティサービスの可用性の通知を行う。図７に示すように、前記コンピュータで実行可能なステップは一般に、（１）通知に（７０４）については、移動体端末／ノード／エンティティが移動体となって、オーディオ、ビデオ、およびデータの少なくとも一つを含むＨ．３２３通信を開始する場合に、少なくとも一つの複数の利用可能なＨ．３２３ホーム／区域外モビリティゲートキーパーが、一つのマルチキャストアドレスを用いてモビリティゲートキーパー宣言を周期的にブロードキャスト／マルチキャスト／ユニキャストすることによるＨ．３２３モビリティサービスの可用性の通知、および移動体端末／ノード／エンティティがＨ．３２３モビリティサービスの可用性の通知を行わない場合に、その移動体端末／ノード／エンティティによるメッセージのホームゲートキーパー／ホーム位置データベースへの送信であって、このメッセージの送信は、移動体端末／ノード／エンティティがＨ．３２３モビリティサービスを必要とする移動体端末／ノード／エンティティが位置するあらかじめ選択されたエリアでＨ．３２３ホーム／外部モビリティゲートキーパーを通知するものである送信を行った後の、Ｈ．３２３ホーム／外部モビリティゲートキーパーによる利用可能なＨ．３２３ホーム／外部モビリティゲートキーパーの移動体端末／ノード／エンティティの通知、のいずれかの通知（７０４）、（２）移動体端末／ノード／エンティティによる、利用可能なＨ．３２３ホーム／外部モビリティゲートキーパーの内の一つのＨ．３２３ホーム／外部モビリティゲートキーパーを用いた登録（７０６）であって、前記利用可能なＨ．３２３ホーム／外部モビリティゲートキーパーは、移動体端末／ノード／エンティティの一つの位置エリア／セル／ゾーンにおいてＨ．３２３モビリティサービスをサポートするものである登録（７０６）、（３）移動体端末／ノード／エンティティの登録に使用されるＨ．３２３ホーム／外部モビリティゲートキーパーによる移動体端末／ノード／エンティティに対する、オーディオ、ビデオ、およびデータの少なくとも一つを含むＨ．３２３通信のサポートの提供（７０８）、の各ステップを含む。
【０２９９】
Ｈ．３２３ホーム／外部モビリティゲートキーパーを用いた登録は、移動体端末／ノード／エンティティの登録情報を、ベースステーションを用いてベースステーションコントローラ、移動体スイッチングセンタ、およびＨ．３２３ホーム／外部モビリティゲートキーパーシステムに順に送信することを含む。あるいは、少なくとも一つのＨ．３２３ホーム／外部モビリティゲートキーパーを用いた登録は、移動体端末／ノード／エンティティの登録情報を、無線／有線のローカルエリアネットワークを用いてルータ／スイッチ、およびＨ．３２３ホーム／外部ゲートキーパーシステムに順に送信することを含む。
【０３００】
一実施形態では、登録は、ホームゲートキーパーによるモビリティゲートキーパー宣言（ＭＧＡ）メッセージの周期的なブロードキャスト／マルチキャスト／ユニキャスト／送信、移動体端末／ノード／エンティティによる登録リクエストメッセージ（ＲＲＱ）のホームゲートキーパーへのブロードキャスト／マルチキャスト／送信、およびホームゲートキーパーによる登録確認／登録拒否（ＲＣＦ／ＲＲＪ）の移動体端末／ノード／エンティティへの送信、の各ステップを含む。
【０３０１】
別の実施形態では、登録は、移動体端末／ノード／エンティティによる、接続機構のネットワークポイントが変化したこと／区域外ゾーンに進入したこと、の判定に応じた移動体端末／ノード／エンティティによる登録リクエストメッセージ（ＲＲＱ）の外部／訪問中ゲートキーパーへブロードキャスト／マルチキャスト／ユニキャスト／送信、外部／訪問中ゲートキーパーによるバインド更新メッセージ（ＢｕＲＱ）のホームゲートキーパーへのブロードキャスト／マルチキャスト／ユニキャスト／送信、ホームゲートキーパーによるバインド更新確認／拒否メッセージ（ＢｕＣＦ／ＢｕＲＪ）の外部／訪問中ゲートキーパーへのブロードキャスト／マルチキャスト／ユニキャスト／送信、および外部／訪問中ゲートキーパーによるバインド更新確認／拒否メッセージの移動体端末／ノード／エンティティへのブロードキャスト／マルチキャスト／ユニキャスト／送信、の各ステップを含む。
【０３０２】
移動体端末／ノード／エンティティが、既訪問ゲートキーパーに制御される別の外部ゾーンを既に訪問していた場合は、登録は、次を含む。
【０３０３】
ホームゲートキーパーによるモビリティ解除更新メッセージ（ＵｂＲＱ）の訪問したゲートキーパーへのブロードキャスト／マルチキャスト／ユニキャスト／送信。
【０３０４】
既訪問ゲートキーパーによるモビリティ解除確認／拒否メッセージ（ＵｂＣＦ／ＵｂＲＪ）のホームゲートキーパーへのブロードキャスト／マルチキャスト／ユニキャスト／送信。
【０３０５】
移動体端末／ノード／エンティティが、既訪問ゲートキーパーに制御される別の外部ゾーンを既に訪問していた場合は、登録は、次を含む。
【０３０６】
移動体端末／ノード／エンティティによる登録要求メッセージ（ＲＲＱ）の外部／訪問中ゲートキーパーへのブロードキャスト／マルチキャスト／ユニキャスト／送信、
外部／訪問中ゲートキーパーによるモビリティ解放更新メッセージ（ＵｂＲＱ）の訪問したゲートキーパーへのブロードキャスト／マルチキャスト／ユニキャスト／送信。
【０３０７】
既訪問ゲートキーパーによるモビリティ解放確認／拒絶メッセージ（ＵｂＣＦ／ＵｂＲＪ）の外部／訪問中ゲートキーパーへのブロードキャスト／マルチキャスト／ユニキャスト／送信。
【０３０８】
外部／訪問中ゲートキーパーによる暫定的な登録確認の移動体端末／ノード／エンティティへのブロードキャスト／マルチキャスト／ユニキャスト／送信並びに外部／訪問中ゲートキーパーによるバインド更新メッセージ（ＢｕＲＱ）のホームゲートキーパーへのブロードキャスト／マルチキャスト／ユニキャスト／送信、およびホームゲートキーパーによるバインド更新確認／拒否（ＢｕＣＦ／ＢｕＲＪ）の外部／訪問中ゲートキーパーへのブロードキャスト／マルチキャスト／ユニキャスト／送信。
【０３０９】
移動体端末／ノード／エンティティが、既訪問ゲートキーパーに制御される別の外部ゾーンを既に訪問していた場合は、登録は、次のステップを含む。
【０３１０】
移動体端末／ノード／エンティティによる登録リクエストメッセージ（ＲＲＱ）の外部／訪問中ゲートキーパーへのブロードキャスト／マルチキャスト／ユニキャスト／送信。
【０３１１】
既訪問ゲートキーパーによるモビリティ解放確認／拒否（ＵｂＣＦ／ＵｂＲＪ）の外部／訪問中ゲートキーパーへのブロードキャスト／マルチキャスト／ユニキャスト／送信。
【０３１２】
外部／訪問中ゲートキーパーによる暫定的な登録確認の移動体端末／ノード／エンティティへのブロードキャスト／マルチキャスト／ユニキャスト／送信並びに外部／訪問中ゲートキーパーによるバインド更新メッセージ（ＢｕＲＱ）のホームゲートキーパーへのブロードキャスト／マルチキャスト／ユニキャスト／送信。
【０３１３】
ホームゲートキーパーによるバインド更新確認／拒否（ＢｕＣＦ／ＢｕＲＪ）の外部／訪問中ゲートキーパーへのブロードキャスト／マルチキャスト／ユニキャスト／送信。
【０３１４】
ホームゲートキーパーによるモビリティ解放更新メッセージ（ＵｂＲＱ）の既訪問ゲートキーパーへのブロードキャスト／マルチキャスト／ユニキャスト／送信。
【０３１５】
既訪問ゲートキーパーによるモビリティ海保確認／拒否（ＵｂＣＦ／ＵｂＲＪ）のホームゲートキーパーへのブロードキャスト／マルチキャスト／ユニキャスト／送信。
【０３１６】
一実施形態では、少なくとも一つのホーム／外部ゲートキーパーが組合せられたホーム／訪問者位置データベースを用いる。別の実施形態では、複数のホーム／外部ゲートキーパーが各々個別に訪問者位置データベースを使用して、ホーム位置データベースを共有する。
【０３１７】
移動体端末／ノード／エンティティが最初に第１管理ドメインに位置した後、第２管理ドメインに移動していく場合は、登録は、移動体端末／ノード／エンティティによる登録リクエストメッセージ（ＲＲＱ）の外部／訪問中ゲートキーパーへのブロードキャスト／マルチキャスト／ユニキャスト／送信、外部／訪問中ゲートキーパーによるモビリティ解放（ＵｂＲＱ）メッセージの既訪問ゲートキーパーへのブロードキャスト／マルチキャスト／ユニキャスト／送信、既訪問ゲートキーパーによる解放確認／拒否（ＵｂＣＦ／ＵｂＲＪ）の訪問中／外部ゲートキーパーへのブロードキャスト／マルチキャスト／ユニキャスト／送信、訪問中ゲートキーパーによる暫定的登録メッセージの移動体端末／ノード／エンティティへのブロードキャスト／マルチキャスト／ユニキャスト／送信、外部／訪問中ゲートキーパーによるモビリティバインドメッセージ（ＢｕＲＱ）の第２管理ドメインのボーダエレメント（Border Element）へのブロードキャスト／マルチキャスト／ユニキャスト／送信であって、このメッセージは第２管理ドメインのボーダエレメントから第１管理ドメインのボーダエレメントに転送され、さらにホームゲートキーパーに転送されるものであるブロードキャスト／マルチキャスト／ユニキャスト／送信、ホームゲートキーパーによるモビリティバインド確認／拒否（ＢｕＣＦ／ＢｕＲＪ）メッセージの第１管理ドメインのボーダエレメントへのブロードキャスト／マルチキャスト／ユニキャスト／送信であって、このメッセージは第１管理ドメインのボーダエレメントから第２管理ドメインのボーダエレメントに転送され、さらに訪問中ゲートキーパーに転送されるものであるブロードキャスト／マルチキャスト／ユニキャスト／送信、を含む。
【０３１８】
図８に示すように、一実施形態では、移動体Ｈ．３２３エンティティがイントラゾーンローミングを実行すると、そのエンティティの位置は更新される。移動体Ｈ．３２３エンティティ（８０２）がホームゾーン（８１０）内のサブネットワーク１（８０４）からサブネットワーク２（８０６）に移動した場合、先に詳述したように、エンティティ（８０２）は、その接続機構の新しいネットワークポイントを二つの方法によって検出する。移動体Ｈ．３２３エンティティは、新しい一時的な気付ネットワークアドレス（例えばＩＰネットワークの場合のＤＨＣＰ）を動的に取得する。移動体Ｈ．３２３エンティティは従来と同じＧＫ（８０８）の制御下にあるが、移動体Ｈ．３２３エンティティの新しいネットワーク接続機構はホームＧＫ（８０８）によって更新される必要がある。以下のステップにより移動体Ｈ．３２３エンティティの位置が更新される。
【０３１９】
１．移動体（ホーム）ＧＫによって宣言されたＭＧＡメッセージが移動体エンティティに受信される。移動体エンティティは、（前述したように）接続機構のネットワークポイントが変化したか否かを検出する。
【０３２０】
２．次に移動体エンティティは、再登録のために当面の気付ネットワークアドレスを用いてＲＲＱメッセージの送信を開始する。移動体エンティティは、接続機構のサブネットワークポイントの変化をＭＧＡメッセージに依らずに検出することもできる。変更されていれば、移動体エンティティは、再登録のためにＲＲＱメッセージをホームＧＫにも送信する。極端な場合では、移動体はＧＲＱメッセージを送信してＧＫを探し出した後通常のＧＣＦ／ＧＲＪメッセージを送信することもできる（図示せず）。
【０３２１】
３．その後通常のＲＣＦ／ＲＣＦメッセージが送信される。
【０３２２】
このようにして、ホームＧＫは移動体エンティティの位置情報を更新する。この場合、モビリティバインドメッセージ（ＢｕＲＱ／ＢｕＣＦ／ＢｕＲＪ）は通常含まれない。場合によっては、移動体エンティティが外部ゾーン内のエンティティと通信していたり、移動体が外部ゾーンからホームゾーンに戻った直後ということもあり得る。このような場合、ホームＧＫは、ＢｕＲＱ／ＢｕＣＦ／ＢｕＲＪメッセージを用いて、移動体エンティティの位置に関して外部ＧＫを更新する必要がある。
【０３２３】
図９に示すように、移動体Ｈ．３２３エンティティ（９０２）がゾーン間をローミング（インターゾーン）した後、システムは加入した移動体Ｈ．３２３エンティティの位置を更新する。ゾーンの境界を横切ると、Ｈ．３２３移動体エンティティは、外部（訪問）ＧＫ（９０４）によってブロードキャスト／マルチキャスト／ユニキャストされたＭＧＡメッセージを受信する。移動体Ｈ．３２３エンティティは、ＭＧＡメッセージを受信すると、ＲＲＱメッセージを訪問ＧＫ（９０４）に送信する。あるいは、ＭＧＡメッセージが受信されない場合は、移動体Ｈ．３２３エンティティは、外部ＧＫの登録を探索するＧＲＱメッセージを送信して、登録メッセージの送信前に通常のＧＣＦ／ＧＲＱメッセージに換えることもできる（イベント１）。簡明のために、これらのステップは図９に示していない。以下の各事象により、訪問ＧＫを用いた登録が移動体Ｈ．３２３エンティティによって探し出された後の位置更新方法を説明する。
【０３２４】
イベント１：ＲＲＱメッセージが移動体Ｈ．３２３エンティティ（９０２）によって訪問ＧＫ（９０４）に送信される。
【０３２５】
イベント２：移動体Ｈ．３２３エンティティは訪問ＧＫのサービスゾーン内にごく最近移動してきたばかりであるため、訪問ＧＫ（９０４）はこの新しいエンティティ（９０２）のエントリ情報をもたない。しかしながら、訪問ＧＫ（９０４）は、移動体Ｈ．３２３エンティティの位置を移動体Ｈ．３２３エンティティ（９０２）のホームＧＫに更新しなければならない。ＲＲＱメッセージの受信によって、移動体／訪問中ＧＫ（９０４）は、モビリティ結合を何処で行う必要があるか、を知ることができる。本実施形態メッセージを移動体Ｈ．３２３エンティティのホームＧＫ（９０６）に送信し、このメッセージが、移動体Ｈ．３２３エンティティ（９０２）の識別子とこのメッセージを送信した訪問ＧＫ（９０４）の識別子とを含んでいる。
【０３２６】
イベント３：ＢｕＲＱメッセージを受信すると、ホームＧＫ（９０６）は訪問中ＧＫ（９０４）における移動体エンティティの新しい位置を格納して、その移動体エンティティの情報（例えばユーザ紹介情報、呼開始および終了サービス、認証パラメータ、課金情報、加入者サービスなど）を調べる。その後ホームＧＫ（９０６）は、移動体Ｈ．３２３エンティティの新しい位置に関する確認（ＢｕＣＦ）または拒絶（ＢｕＲＪ）メッセージを訪問ＧＫ（９０４）に送信する。
【０３２７】
イベント４：結果として、上記情報（ＢｕＣＦまたはＢｕＲＪ）を受信すると、訪問中ＧＫ（９０４）は登録確認（ＲＣＦ）または拒否（ＲＲＪ）メッセージを移動体Ｈ．３２３エンティティ（９０２）に送信する。
【０３２８】
イベント５：移動体Ｈ．３２３エンティティ（９０２）は、訪問ゾーンに移動する前に既に別の外部ゾーン（既訪問ゾーン）を訪問していたこともあり得る。ＢｕＲＱメッセージは、更新メッセージが訪問ＧＫ（９０４）によって既訪問ＧＫ（９０８）に送信されていたか否かを示すものでもあり、ホームＧＫ（９０６）は、位置更新のためにモビリティ解放メッセージＵｂＲＱを訪問したＧＫ（９０８）に送信する。この既訪問ＧＫ（９０８）は、ホームＧＫ（９０６）のデータベース内のＨ．３２３移動体エンティティの情報に対応している。状況により、モビリティ結合メッセージ（ＢｕＲＱ）が以前の情報を消去せずに送信されて更新が行われることもある。このことは実行上の問題であり、本明細書では言及しない。
【０３２９】
イベント６：さらに、既訪問ＧＫ（９０８）が、モビリティ解放確認（ＵｂＣＦ）または拒絶（ＵｂＲＪ）メッセージをホームＧＫ（９０６）に送信する。イベント５でＢｕＲＱメッセージが送信される場合は、モビリティバインド確認（ＢｕＣＦ）または拒否（ＢｕＲＪ）メッセージが送信される。
【０３３０】
移動体加入者エンティティ（移動体Ｈ．３２３エンティティ）は一度に一つの外部／既訪問ＧＫにのみ通知される。本実施形態では、移動体加入者エンティティが別のゾーンにローミングしていた場合は、ホームＧＫ（９０６）は更新されていなければならない。
【０３３１】
ホームＧＫ９０６は、移動体Ｈ．３２３エンティティの情報ベースのマスターであり（移動体エンティティのマスターデータベースであってもよい）、したがって、移動体加入者エンティティがゾーン間をローミングする際の、訪問中および既訪問ＧＫへの変更制御をする。必要であれば、ターゲットとなる（targeted）ＧＫ（本実施形態では図示せず）に関する情報をホームＧＫによって制御することもできる。
【０３３２】
前述のように、移動体エンティティが、ゾーン間においてある接続機構のポイントから次のポイントに移動する際には、モビリティバインドメッセージを用いた位置更新は円滑に行われる。例えば、ホームＧＫが、移動体Ｈ．３２３エンティティの訪問中および既訪問ゾーンに対して距離が離れすぎていて規定時間内で応答できない場合がある。例えば、更新のための応答を行う上でＧＫが１００秒間待機することが必要であるとすると、システムの応答時間は著しく増大する。このような場合、移動体Ｈ．３２３エンティティが、ホームＧＫによる新たな登録が終了する前に訪問中ＧＫが円滑な位置更新のハンドオフを行うことを認可して、訪問中および既訪問ＧＫが共同作業することによってホームＧＫの関与なしに円滑な位置更新を行うことができる。
【０３３３】
図１０に示すように、位置更新は登録中に円滑に行われる。１つのドメインは複数のゾーンからなる。Ｈ．３２３移動体エンティティ（１００２）は、ある所定の管理ドメイン内の各ゾーン間を移動する。図１０に、１つの管理ドメイン（１００４）内でのモビリティバインドメッセージを用いた円滑な位置更新の形態を示す。簡単のためにこの図では、ＲＲＱメッセージの送信前に必要なメッセージとして、ＭＧＡ（または（ＧＲＱ／ＧＣＦ／ＧＲＪ）メッセージが示されている。図１０に示す各イベントは以下の順序で行われる。
【０３３４】
イベント１：移動体Ｈ．３２３エンティティ（１００２）はＲＲＱメッセージを訪問中ＧＫ（１００６）に送信し、このメッセージが、ホームＧＫ（１０１０）によって位置更新が行われる前に、ＧＫ（１００６）が以前の既訪問ＧＫ（１００８）との通信を通じて円滑な位置更新を行うことを認可する。
【０３３５】
イベント２：訪問中ＧＫ（１００６）は、モビリティ解放（ＵｂＲＱ）メッセージを、指定された移動体Ｈ．３２３エンティティ（１００２）の既訪問ＧＫ（１００８）に送信する。このメッセージは、移動体Ｈ．３２３エンティティ（１００２）の識別子およびメッセージを送信した訪問中ＧＫ（１００６）の識別子を含んでいる。
【０３３６】
イベント３：移動体Ｈ．３２３エンティティ（１００２）の以前の既訪問ＧＫ（１００８）は、ＵｂＣＦまたはＵｂＲＪメッセージを用いてモビリティ解放更新を確認または拒絶する。
【０３３７】
イベント４：この情報を受信すると、訪問中ＧＫ（１００６）は移動体Ｈ．３２３エンティティ（１００２）へのモビリティバインドを確認して、ホームＧＫ（１０１０）による位置更新が終了する前に円滑な位置更新が行われるようにする。しかしながら、移動体Ｈ．３２３エンティティのホームＧＫ（１０１０）もまたこのモビリティバインドを確認する必要があるために、この位置更新は、訪問中の移動体Ｈ．３２３エンティティ（１００２）の暫定的登録となる。
【０３３８】
イベント５：訪問中ＧＫ（１００６）もまたモビリティバインド更新（ＢｕＲＱ）メッセージを移動体Ｈ．３２３エンティティのホームＧＫ（１０１０）に送信する。このメッセージは、移動体エンティティの識別子およびメッセージを送信した訪問ＧＫ（１００６）の識別子を含む。イベント２および５は同時期に実行される。
【０３３９】
イベント６：前述したように、モビリティバインド更新（ＢｕＲＱ）メッセージを受信すると、ホームＧＫ（１０１０）は、訪問中ＧＫ（１００６）における移動体Ｈ．３２３エンティティの新しい位置を格納し、その移動体エンティティの情報（例えばユーザ紹介情報、呼開始および終了サービス、認証パラメータ、課金情報、および加入者サービスなど）を調べる。その後ホームＧＫ（１０１０）は、モビリティ結合確認（ＢｕＣＦ）または拒否（ＢｕＲＪ）メッセージを訪問ＧＫ（１００６）に送信する。ホームＧＫ（１０１０）と既訪問ＧＫ（１００８）からのメッセージが重複する場合は、ホームＧＫ（１０１０）が優先される。ホームＧＫ（１０１０）は、訪問中ＧＫ（１００６）が位置更新情報を既訪問ＧＫ（１００８）に送信したことを判定すると、既訪問ＧＫ（１００８）に関する情報を更新し、イベント６および７は起こらない。
【０３４０】
イベント７：イベント２が起こらない場合は、ホームＧＫ（１０１０）はモビリティ解放（ＵｂＲＱ）メッセージを既訪問ＧＫ（１００８）に送信する。
【０３４１】
イベント８：結果として、既訪問ＧＫ（１００８）はモビリティ解放確認（ＵｂＣＦ）または拒否（ＵｂＲＪ）メッセージを送信する。このイベント８は、イベント７が起こらない場合は起こらない。
【０３４２】
移動Ｈ．３２３エンティティは、それ自身が帰属するドメインとは別のドメインの中を移動してもよい。図１１は、特にエンティティの位置を追尾していくときに行われるイベント（手続き）の処理のハイレベルの実装を示すブロック図であって、移動Ｈ．３２３エンティティ１１０２が一つのドメイン（ドメイン１）１１０４から他のドメイン（ドメイン２）１１０６へと移動し、その位置の追尾が登録動作と共に滑らかに行われる様子を示したものである。移動Ｈ．３２３エンティティは、ドメイン（ドメイン２）１１０６の中におけるそれが訪問したゾーン１１０８からこれから訪問しようとしているゾーン（訪問予定ゾーン）１１１０へと移動しつつも、そのホームゾーンはドメイン（ドメイン１）１１０４の中にとどまったままである。図１１において、以下に説明するような事象が起こる（事象の番号は図７に示す）。
【０３４３】
イベント１：移動体Ｈ．３２３エンティティは、ＲＲＱメッセージを訪問中ゾーンのゲートキーパー１１１６に送る。これにより、ホームゾーンにおけるゲートキーパー１１１２と共に位置の追尾が行われるに先立って、先の訪問したゾーン（既訪問ゾーン）のゲートキーパー１１０８と共に位置の追尾を円滑に行う。
【０３４４】
イベント２：訪問中ゾーンのゲートキーパー１１１６は、モビリティ解放メッセージ（ＵｂＲＱ）を、移動局Ｈ．３２３エンティティ１１０２の指定されている既訪問ゾーンのゲートキーパー１１１４に送る。このメッセージには、このメッセージの発信元である移動体Ｈ．３２３エンティティ１１０６の識別子だけでなく移動体Ｈ．３２３エンティティ１１０２の識別子も含まれている。
【０３４５】
イベント３：移動体Ｈ．３２３エンティティ１００２の以前の既訪問ゾーンにおけるゲートキーパー１１１４がＵｂＣＦメッセージまたはＵｂＲＪメッセージを用いてモビリティ解放更新を確認又は拒否する。
【０３４６】
イベント４：この情報を受信すると、訪問中ゾーンのゲートキーパー１１１６は、移動体Ｈ．３２３エンティティ１１０２に対するモビリティバインドを確認し、ホームゾーンにおけるゲートキーパー１１１２と共に位置の追尾が完了するまで、円滑な位置の追尾が行われるようにする。ただし、訪問中の移動体Ｈ．３２３エンティティ１１０２の登録は暫定的である。これは、移動体Ｈ．３２３エンティティ１１０２が帰属するホームゾーンにおけるゲートキーパー１１１２も同様にこのモビリティバインドを確認する必要があるからである。
【０３４７】
イベント５：訪問中ゾーンのゲートキーパー１１１６は、モビリティバインドメッセージ（ＢｕＲＱ）をドメイン（ドメイン２）１１０６のボーダー・エレメント（ＢＥ／ＧＫ）１１１８に送る。ドメイン（ドメイン２）１１０６のボーダー・エレメント（ＢＥ／ＧＫ）１１１８は、さらにこのメッセージを、ドメイン（ドメイン１）１１０４のボーダー・エレメント（ＢＥ／ＧＫ）１１２０に送る。ドメイン（ドメイン１）１１０４のボーダー・エレメント（ＢＥ／ＧＫ）１１２０は、さらにこのメッセージを、移動体Ｈ．３２３エンティティ１１０２が帰属するホームゾーンにおけるゲートキーパー１１１２に送る。
【０３４８】
イベント６：ホームゾーンにおけるゲートキーパー１１１２は、モビリティバインド情報（ＢｕＣＦ）又は拒否情報（ＢｕＲＪ）を、ドメイン（ドメイン１）１１０４のボーダー・エレメント（ＢＥ／ＧＫ）１１２０に送る。ドメイン（ドメイン１）１１０４のボーダー・エレメント（ＢＥ／ＧＫ）１１２０は、このメッセージを、ドメイン（ドメイン２）１１０６のボーダー・エレメント（ＢＥ／ＧＫ）１１１８に送り、さらにここからこのメッセージが訪問中ゾーンのゲートキーパー１１１６に送られる。
【０３４９】
移動体Ｈ．３２３エンティティは、それぞれのホームゲートキーパーに登録されることが必要である。移動体Ｈ．３２３エンティティは、それぞれのゲートキーパーに対してモビリティを管理する中心的制御の役割を担うべく指示し、エンティティの移動（モビリティ）を管理させる。移動体Ｈ．３２３エンティティが他のゾーンに移動したときは、そのエンティティはその他のゲートキーパーにその旨を登録する必要がある。その結果、ゲートキーパーは元々自分の管理下にあるエンティティと他のゾーンからそのゾーンにやってきたエンティティの両方の位置情報を管理することが必要になる。典型的には、ゲートキーパーは、元々自分の管理下にあるエンティティと他のゾーンからそのゾーンにやってきたエンティティの両方の位置情報をデータベースの中に維持する。図１２は、ホームゾーンおよび外部ゾーン１２０２，１２０４、１２０６、１２０８、ホームゾーンおよび外部ゾーンにおけるゲートキーパー１２１０、１２１２、１２１４およびホームゾーンおよび外部ゾーンのデータベース１２１６、１２１８、１２２０の配置構成の具体例を示すブロック図である。
【０３５０】
Ｈ．３２３において、ゲートキーパーと位置情報データベースの間で行われるサービスは、バックエンド・サービスといわれている。また、これらの機能エンティティの間で行われるサービスのプロトコルは、バックエンドサービスプロトコルといわれている。これらのバックエンド・サービスと、バックエンド・サービス・プロトコルは、Ｈ．３２３においてまだ標準化されていない。
【０３５１】
図１３は、ホームゾーンおよび外部ゾーン１３０２，１３０４、１３０６、１３０８、ホームゾーンおよび外部ゾーンにおけるゲートキーパー１３１０、１３１２、１３１４およびビジター位置情報のデータベース１３１６、１３１８、１３２０およびホームロケーション・データベース１３２２の本発明に基づく最適化された配置構成の具体例を示すブロック図である。ホームロケーション・データベース１３２２からビジター位置情報のデータベース１３１６、１３１８、１３２０を分離し、ホームロケーション・データベース１３２２を孤立させることにより、この中央に位置するホームロケーション・データベース１３２２が、ホームゾーンおよび外部ゾーンにおけるゲートキーパー１３１０、１３１２、１３１４によりアクセス可能になり、システムの運用が簡略化される。移動Ｈ．３２３エンティティのホームロケーションは同一の場所にとどまっているために、この位置情報は中央のホームロケーション・データベース１３２２に保持されてもよい。しかしながら、このような最適構成の配置がどの程度の拡張性を有するかは、特に大規模なＩＰネットワークや公共のインターネットの使用環境において調べてみても良い。
【０３５２】
移動体エンティティの位置管理プロセスには、現在の位置情報がアベイラブルなときには位置情報を更新することが含まれる。呼を確立する場合は、移動エンティティの現在位置を知るためにデータベースを参照することが必要になる。このようなプロセスは、その移動エンティティがこれに割当てられているゲートキーパーから遠く離れている場合はコストのかかるプロセスである。従って、移動エンティティの位置管理のプロセスは更に最適化される必要がある。ホームロケーション情報のロケーションが集中化された例を図に示す。
【０３５３】
この集中化されたホームロケーション・データベースの構成によれば、管理プロセスはほとんど単純化されていない。これは、移動エンティティのホーム位置が同一の位置にとどまっており、その情報が中央のデータベースに維持されたままになっているためである。しかしながら、この解法がどの程度の拡張性を有するかは、特に大規模なＩＰネットワークや公共のインターネットの使用環境において調べてみても良い。位置情報を管理するためにはデータベースを階層的に構成してもよい。位置管理データベースを分散的に構成するかまたは集中的に構成するかは実施方法の選択の問題である。
【０３５４】
本発明によれば、各端末はその位置を変更することができる。位置の変更はネットワークとの接続点またはＨ．３２３の接続点を変更することである。端末がその位置を移動したときでも、Ｈ．３２３エンティティは通信が可能である。以下に個々の端末がその物理的な位置を変更できる（すなわち、通信経路に変更をきたすことなく位置を変更できる）例につき説明する。さらに、通信経路のハンドオーバが必要な場合、通信経路を変更させつつ個々のターミナルがその物理的な位置を変更できる例についても説明する。
【０３５５】
ネットワークが無線又は有線の構成になっている場合のいずれでも、通信経路に変更をきたすことなく個々のターミナルがその物理的な位置を変更できる。逆に言うと、通信経路が変更されつつ個々のターミナルがその物理的な位置を変更できるのは、ネットワークが無線構成になっている場合に限られる。
【０３５６】
Ｈ．３２３において、ひとつのゾーンの中にひとつのゲートキーパーがあって、このゲートキーパーが固定エンティティと移動エンティティの情報を管理している場合を考える。ここで、同一のゲートキーパーが固定ゲートキーパーと移動ゲートキーパー（ホームおよび外部、訪問中ゾーン、既訪問およびターゲットゲートキーパー）の機能も果たしうる。Ｈ．３２３モバイル端末は、ひとつのゾ−ン内、ゾーンとゾーンの間、およびドメインとドメインの間も移動しうるものとする。ここで、固定Ｈ．３２３ターミナルと移動Ｈ．３２３ターミナルとの間で呼を確立させる場合を考える。これらのターミナルは同一のゾ−ンの中にある場合、異なるゾーンの中にある場合、および異なるドメインの中にある場合のそれぞれがありうるものとする。しかしながら、このＨ．３２３システムの中では、モバイル端末が移動し、そのネットワークへの接続ポイントを変更しても、通信管理のハンドオーバおよびハンドオフが円滑に行われ、通信が続行できなければならない。以下に通信管理のハンドオーバのプロセスにつき説明する。
【０３５７】
通信管理のハンドオーバのプロセスはまず初期化プロセスから始まる。すなわち、ユーザ又は端末、ゲートキーパーまたは変化するシステム状態（例えばネットワークへの接続ポイント）などを明らかにして通信経路のハンドオーバが必要か否かを確定する。
【０３５８】
次に、新規接続を生成する。すなわちシステムが接続のハンドオーバの新たなリソースを発見し、新たな場所へと接続を行う（ここでは、下位の通信層においてルーティング操作が加えられてもよい）。
【０３５９】
最後に、メディアフロー制御（media-flow control）が行われ、メディアの元の接続パスから新しい接続パスへの配信が、サービス状態の程度に応じて維持される（この場合の「接続」とはＨ．３２３システムにおけるハイレベル通信層の抽象概念として用いられている。ローレベル通信層（例えばＩＰ，ＡＴＭなど）はこの「接続」の概念に含まれても含まれなくともよい）。
【０３６０】
この場合、元の接続パスから新しい接続パスへの接続の切り替えが行われるときは、この切り替えがうまく行なわれるためには、両者の接続が共に有効に生きている時間帯が必要になる点が重要である。元の接続パスから新しい接続パスへの接続の切り替えは、Ｈ．３２３システムにおける付加的なマルチポイント・カンファレンス（ad hoc multipoint conference）への参加（joining）、退場（leaving）の操作を用いて動的に行われる。このようにして切り替えを支援するために新しい信号メッセージを開発する手間がない。
【０３６１】
Ｈ．３２３システムにおいて、付加的マルチポイント・カンファレンス（ad-hoc multipoint conference）、すなわち（それ自身による）参加の要求、（参加者による）参加の勧誘は、新たなエンドポイントがこの協議に加わることができるようにマルチポイントコントローラ（ＭＣ）またはマルチポイントコントローラユニット（ＭＣＵ）の支援を得て行われる。すなわち、同一のモバイル端末は２つの論理上のエンティティをわずかな時間有することになる。ひとつは元の接続パスにおけるネットワークへの接続ポイントであり、もうひとつは新接続パスにおけるネットワークへの接続ポイントである。その移動エンティティが切り替えがうまく完了したことを認識すると、エンド・セッション・コマンドを発して元の接続パスにおけるネットワークへの接続ポイントにおいてカンファレンスから退場するようにし、さらに、新しい接続パスにおけるネットワークへの接続ポイントにおける通信が存続するようにする。このように、本発明の移動体Ｈ．３２３プロトコルを用いて通信管理のハンドオーバが動的に行われる。このような処理を必要とするＨ．３２３エンティティはマルチポイント・コントローラ（ＭＣ）の処理能力を必要とする。このような特徴は、ゲートキーパー、マルチポイント・コントロール・ユニット（ＭＣＵ）、ＧＷ，又はターミナルの中に実現してもよい。
【０３６２】
Ｈ．３２３エンティティ間で確立される呼には、次のようなものが考えられる。固定エンティティから移動エンティティへの呼、移動エンティティから固定エンティティへの呼、移動エンティティから移動エンティティへの呼である。しかしながら、呼はゾーン内、ゾーン間、ドメイン間のそれぞれで発生しうる。図１４は、固定エンティティ１４０２と移動Ｈ．３２３エンティティ１４０４とが単一のゾーン内にある場合を示す図である。ただし、このゾーンは多数のサブネットワークを含んでも良い。異なるＨ．３２３エンティティの間で呼が発生するときは、新規なそして／又は拡張されたＨ．３２３の信号のやりとりを用いて行われる。後続するメッセージはさまざまな呼のシナリオを記述する。
【０３６３】
図１５（ａ）、（ｂ）は、固定エンティティ１５０２、１５０６が移動エンティティ１５０４、１５０８に対して呼を発信したときの信号のやり取りを示したものである。これらのエンティティは同一のゾーン内にあるが、その中の同一のサブネットワークにあってもよく、また異なるサブネットワークにあっても良い（図１４参照）。この信号のやり取りは、図に示す通りである。これらの信号のやり取りは、移動がそのホームゲートキーパーに登録されているか否かに応じてプリコールシナリオになんらかの差異が発生する。登録生存期間が満了したか、又はサブネットワークの接続ポイントに変更があったために、その移動が、そのホームゲートキーパーに登録されていないときは、ホームゲートキーパーは、そのゾーン内にあるすべてのサブネットワークに呼び出し機能を用いてＬＲＱメッセージを送信し、その移動体エンティティの位置を突き止めることになる。これは、ゲートキーパーがその移動体エンティティがどこにいるのかに関する情報を有していないためである。その他の信号のやり取りに関しては，従来の固定または移動しないＨ．３２３エンティティの場合と同様である。
【０３６４】
図１６（ａ）、（ｂ）は、移動エンティティ１６０２、１６０６が固定エンティティ１６０４、１６０８に対して呼を発信したときの信号のやり取りを示したものである。これらのエンティティは同一のゾーン内にあるが、その中の同一のサブネットワークにあっても良く、また異なるサブネットワークにあっても良い（図１４参照）。この状態は、呼を発生させるに先立って移動エンティティがそのホームゲートキーパーに登録される必要があるため、ある程度は素直な状態であるといえる。図１６（ａ）、（ｂ）は、移動エンティティが、ＭＧＡメッセージを受信した後、ゲートキーパーに登録される状態を示している。移動エンティティが、ＭＧＡメッセージを受信しないときは、移動エンティティがＧＲＱメッセージを発信し、登録前に移動ゲートキーパーを発見するようにする。ただし、簡明のためにこのときの状態は図には示していない。その他の信号のやり取りに関しては，従来の固定エンティティ、すなわち移動しないＨ．３２３エンティティの場合と同様である。
【０３６５】
図１７（ａ）、（ｂ）は、移動エンティティ１７０２、１７０６が別の移動エンティティ１７０４、１７０８に対して呼を発信したときの信号のやり取りを示したものである。これらのエンティティは同一のゾーン内にあるが、その中の同一のサブネットワークにあっても良く、また異なるサブネットワークにあっても良い（図１４参照）。呼を発生させる側の移動エンティティは、呼の確立に先立ってそのホームゲートキーパーに登録される必要がある。逆に、呼を受信する側の移動エンティティは、そのホームゲートキーパーに登録されてもされなくとも良い。これらの状況に応じてプリ・コール・セットアップ・シナリオは変化する。図１７（ａ）、（ｂ）は、考えられるプリ・コール・セットアップ・シナリオの例を示している。その他の呼の確立のための信号のやり取りに関しては，従来のＨ．３２３エンティティの場合と同様である。
【０３６６】
Ｈ．３２３エンティティが複数のゾーンの中にあって、これらが相互に通信してもよい。図１８は、わかりやすく示すために固定エンティティ１８０２と移動体エンティティ１８０４のみが２つのゾーンにある場合を示している。２つの異なるゾーンにある２つのエンティティは、直接通信してもよい。ただし、呼がゲートキーパーを経由することもできる。この例では、呼は呼を発生する側のゲートキーパーを経由するものと仮定する。固定エンティティ１８０２は、第１のゾーン１８０６内に位置し、移動エンティティ１８０４は、第２のゾーン１８０８内に位置する。第２のゾーン１８０８は、移動エンティティ１８０４にとってのホームゲートキーパーが存在するところであるものとする。すなわち、移動エンティティ１８０４は、そのホームゾーンの中にあってここから呼の確立が試みられるものと考える。
【０３６７】
図１９（ａ）、（ｂ）は、相互に異なるゾーン内に位置する固定エンティティ１９０２、１９０６と移動体エンティティ１９０４、１９０８との間の信号のやり取りを示したものであり、図１９（ａ）は、両者の直接的なやり取りを示すものであり、図１９（ｂ）はゲートキーパーを経由したやり取りを示すものである。この場合、プリ・コール・セットアップ（pre-call setup）のためのシナリオとしては２通り考えられる。移動エンティティはそのゲートキーパーに登録されていてもされていなくとも良い。一旦移動体エンティティがそのゲートキーパーに登録されると、すでに述べたように、従来のＨ．３２３の発呼のためのフローに従って呼の確立のためのプロセスが進行する（ケース１）。もうひとつの場合（ケース２）、移動体エンティティがそのゲートキーパーに登録されない場合は、固定エンティティ１９０２のゲートキーパー１は、ＬＲＱメッセージを移動エンティティのホームゲートキーパー２に送る。移動体エンティティのホームゲートキーパー２は、移動体エンティティの所在地を把握していない。このため、ゲートキーパー２は、自分の担当のゾーンに対して呼び出しのＬＲＱメッセージを発信する。ここで移動体エンティティはそのホームゲートキーパーに自分を登録するためのプロセスを行う。移動体エンティティは、登録が一旦完了すると、位置確認メッセージ（ＬＣＦ）を発信する。この位置確認メッセージ（ＬＣＦ）は、ゲートキーパー２によりゲートキーパー１に返送される。その他の呼の確立のための信号のやり取りに関しては，従来のＨ．３２３の場合と同様である。
【０３６８】
移動体エンティティから固定エンティティへの通信は、すでに説明した固定エンティティから移動体エンティティへの通信の場合と同様に説明される。
【０３６９】
図２０は２つの移動体エンティティ２００２と２００４とが２つの異なったゾーン内にそれぞれ位置している場合を示している。この場合、これらのエンティティはそれぞれのホームゾーンにあるものとする。
【０３７０】
図２１（ａ）（ｂ）は、これらの移動体エンティティが２つの異なったゾーン内にそれぞれ位置している場合における両者間の信号のやり取りを示している。特に図２１（ａ）は両者が直接交信する場合であり、図２１（ｂ）はゲートキーパーを経由して交信が行われる場合である。発呼側の移動エンティティ２１０２、２１０６は、受信側の移動体エンティティ２１０４、２１０８に対して発呼するに先立ってゲートキーパーに登録することが必要となる。そこでこれらの移動エンティティのゲートキーパーはそれぞれのゾーン内にてＭＧＡメッセージを送信する。図２１に示すように、ＭＧＡメッセージを受信してから登録が完了する。移動体エンティティはＧＲＱメッセージを発信して移動体ゲートキーパーの発見につとめることができ、これに従ってＧＣＦ／ＧＲＪメッセージの送受信が行われる。この信号の双方向的なやり取りは、説明を簡便にするために示してこなかった。既に述べたように、プリ・コール・セットアップには２つのやり方がある。移動体エンティティが一旦登録されると、すでに述べたように、従来のＨ．３２３の信号授受の流れに従って呼の確立プロセスが進行する（ケース１）。移動体エンティティの登録が済んでいない場合（ケース２）、固定エンティティのゲートキーパー１は移動体エンティティのホームゲートキーパー２に対してＬＲＱメッセージを送信する。ゲートキーパー２は、移動体エンティティがどこにいるかに関する情報を把握していない。従って、ゲートキーパー２は、自分のゾーン内でＬＲＱメッセージを流して呼び出しを行う。移動体エンティティはホームゲートキーパーへの登録手続きを行う。移動体エンティティは、登録が完了するまで位置確認メッセージ（ＬＣＦ）を送信し続けることになる。このＬＣＦメッセージはゲートキーパー２によりゲートキーパー１へと返信される。その他の呼の確立のための信号のやり取りに関しては，従来のＨ．３２３の場合と同様である。
【０３７１】
上述した例では、さまざまな状況において移動体エンティティを含む呼（例えば固定エンティティから移動体エンティティへの呼、移動体エンティティから固定エンティティへの呼、移動体エンティティから移動体エンティティへの呼）が確立するかを説明してきた。（通信が無線通信である場合）呼が確立すると、移動体エンティティが一つの場所から他の場所へと移動しながら通信を続行することができる。エンティティが移動すると、ネットワークへの接続ポイントに変更が発生する（例えば所与のゾーン又は異なるゾーンのＩＦサブネットワーク・アドレス）。ネットワークへの接続ポイントの変更は、新たな接続ポイントへの接続により始まる（この場合、新たな接続ポイントへの接続が適切に行われるまで旧接続ポイントとの接続は維持される）。新しい接続ポイントへのリソースの割り当てが行われると、元の接続ポイントとの接続と、これに用いられていたリソースの利用は終了する。
【０３７２】
上述したように、接続のハンドオーバにおける元の接続点との接続から新たな接続点への接続は、Ｈ．３２３通信エンティティを介して、付加的マルチポイント・カンファレンス（ad-hoc multipoint conference）をセットアップし、１対１通信またはマルチポイントの形態を取りながら多点通信制御（ＭＣ）を用いて行われる。マルチポイント・カンファレンスのセットアップの一環として、エンドポイント（Ｈ．３２３エンティティ）は、Ｈ．２４５制御チャネルのＭＣに接続されるようになる。
【０３７３】
ゾーン内で呼をやり取りする方法としては、移動体エンティティが同一のゾーン内にある別の（固定又は移動体の）Ｈ．３２３エンティティと（音声、画像、および／またはデータの）通信を行う。この場合、呼は直接行われても良いしゲートキーパーを介して行われても良い。ここで、通信をしているひとつのＨ．３２３エンティティはＭＣを有し、通信管理のハンドオーバに際して元の接続ポイントとの接続から新たな接続ポイントへの接続の切り替えを行うために付加的なマルチポイント・カンファレンスをセットアップするものとする。図２２（ａ）、（ｂ）は、呼が直接又はゲートキーパーを介して行われる場合の、同一ゾーン内の通信管理のハンドオーバを示す図である。
【０３７４】
図２２（ａ）は固定エンティティ２２０２と移動体エンティティ２２０４との間で直接交信が行われて、固定エンティティにはＭＣ機能が備わっている場合を示している。図２２（ｂ）では、両者の交信はゲートキーパー２２０６を介して行われ、このゲートキーパーにＭＣ機能が備わっている場合を示している。以降の部分は通信のハンドオーバが行われるときの信号送受信を詳しく説明したものである。図２２（ａ）に示す信号送受信では、固定エンティティ２２０２と移動体エンティティ２２０４との間で音声、画像、データを用いて交信が行われており、両方のエンティティがホームゾーン１におけるサブネットワーク１内に位置し、移動体エンティティがひとつの場所から別の場所へと移動しているものとする。モバイル端末（ＭＴ）の固定端末（ＦＴ）との接続をＭＴ１とする。そこで、移動体エンティティのネットワークへの接続ポイント（例えばＩＰサブネットワークアドレス）は、これがサブネットワーク１からサブネットワーク２へと移動することにより変更されるものとする。移動体エンティティは、ネットワークへの接続ポイントの変更を既に述べた２つの方法のうちの１つを用いて検出することができる。
【０３７５】
図２３は、ＭＣ機能を有し、ゲートキーパーを介さない直接交信を行う固定エンティティ２３０２から、サブネットワーク１からサブネットワーク２へと移動する移動体エンティティ２３０４へのゾーン内の通信管理のハンドオーバのための呼のやり取りを示している。以下に示すステップは、元の接続を終了して新しい接続を確立する通信管理のハンドオーバにおける呼の信号のやり取りを説明するものである。
【０３７６】
ステップ１：ＭＧＡメッセージがホームゾーンにおけるホームゲートキーパーにより宣言される。モバイル端末がこのＭＧＡメッセージを受信し、この移動体ターミナルがホームゾーンの中に位置することを確認する。（更にこのモバイル端末が動いているエリアであるところのサブネットワーク２のアドレス（例えばＩＰアドレス）を調べる。サブネットワークアドレスは、ネットワーク層（例えば移動ＩＰのホーム／外部エージェント）において情報共有されている。これは、ネットワーク層の実施方法に係わる事柄であり、Ｈ．３２３ではネットワーク層の実装についてはなんら規定していない）。モバイル端末は、自分が新しいサブネットワークに向かって移動しつつあることを確認し、そのホームゲートキーパーへの再登録を要請する。（別のやり方としては、もしＭＧＡメッセージの受信ができないときは、移動体ターミナルがＧＲＱメッセージを発信し、ゲートキーパーを見出すようにする。説明を簡略化するために、このような場合に関しては示していない）。
【０３７７】
ステップ２：モバイル端末がＲＲＱメッセージを発信し、ホームゲートキーパーへの登録を図る。このメッセージはモバイル端末のホームゾーンおよび気付ネットワークアドレス（例えばＩＰアドレス）その他の情報を含む。
【０３７８】
ステップ３：ホームゲートキーパーは、登録確認メッセージ（ＲＣＦ）又は拒絶メッセージ（ＲＲＪ）を発信する。
【０３７９】
ステップ４：モバイル端末は、登録確認メッセージ（ＲＣＦ）を受信した後、許可要求メッセージ（ＡＲＱ）を、新しいネットワークとの接続ポイントにおける新しい接続の確立のための準備として、そのホームゲートキーパーに送信する。
【０３８０】
ステップ５：ホームゲートキーパーは、許可のための要件が具備しているか否かの事実に基づいて、許可確認メッセージ（ＡＣＦ）又は拒否メッセージ（ＲＲＪ）を発信する。許可確認メッセージ（ＡＣＦ）においては、ゲートキーパーは、固定端末（ＦＴ）の呼のための信号のやり取りをするチャネルの輸送アドレスを返信する。
【０３８１】
ステップ６：モバイル端末は、固定端末の輸送アドレスを用いた許可確認メッセージ（ＡＣＦ）を受信した後、固定端末に対して現在進行しているカンファレンス（ＣＩＤ＝Ｋ）に参加するためのセットアップメッセージを送信する。新たな接続（ＭＴ２）では、モバイル端末（ＭＴ１）と固定端末（ＦＴ）の間でこれまでに確立していたカンファレンスにおいて用いられていたものと同一のカンファレンス（ＣＩＤ＝Ｋ）が探求される。
【０３８２】
ステップ７：固定端末は、呼の対象となっている固定端末に新規な接続（ＭＴ２）が発生することを通知する呼プロシーディング／アラートメッセージを送信する。
【０３８３】
ステップ８：固定端末（ＦＴ）は、新しい接続（ＭＴ２）のためのＨ．２４５に基づく信号のやり取りに用いられるＨ．２４５制御チャネル輸送アドレスを含む接続メッセージにより応答する。マルチポイント制御（ＭＣ）機能を具備する固定端末は、同一のカンファレンス（ＣＩＤ＝Ｋ）における新しい接続（ＭＴ２）の新しい呼との対応関係を確立する。
【０３８４】
ステップ９：固定端末とモバイル端末との間でＨ．２４５メッセージの交換が行われる。この交換の詳細は説明を簡単のため省略する。（ＭＣ機能を具備する）固定端末（ＦＴ）と新しい接続（ＭＴ２）に基づくモバイル端末との間のメディアチャネル（音声、画像、および／またはデータ）が開通する。
【０３８５】
ステップ１０：固定端末（ＦＴ）とＭＴ２（モバイル端末の新規な接続）との間に（音声、画像、および／またはデータによる）通信が行われる。
【０３８６】
ステップ１１：モバイル端末は、Ｈ．２４５制御チャネルにおいて、固定端末に対して古い呼（元の接続ＭＴ１）を切断したい旨を意味するエンド・セッション・コマンド・メッセージを発信し、Ｈ．２４５メッセージ伝達を終了する。
【０３８７】
ステップ１２：固定端末は、Ｈ．２４５制御チャネルにおいて、エンド・セッション・コマンド・メッセージにより応答し、古い呼（元の接続ＭＴ１）を終了する。
【０３８８】
ステップ１３：固定端末は、古い呼（元の接続ＭＴ１）が終了したことを意味するリリース完了メッセージを送信する。古い呼（元の接続ＭＴ１）が終了しても、固定端末（ＦＴ）とモバイル端末の新規な接続（ＭＴ２）との間にカンファレンス（ＣＩＤ＝Ｋ）が存続することに留意されたい。
【０３８９】
ステップ１４：モバイル端末は、Ｈ．２２５．０解除要求メッセージ（ＤＲＱ）をホームゲートキーパーに送信し、古い呼（元の接続ＭＴ１）に用いられていたリソースを解除する。
【０３９０】
ステップ１５：ホームゲートキーパーは、古い呼（元の接続ＭＴ１）に用いられていたリソースを解放してから、Ｈ．２２５．０解除確認メッセージ（ＤＣＦ）により応答する。
【０３９１】
このように、固定端末とモバイル端末との間に新規な接続（ＭＴ２）が確立する。通信管理のハンドオーバは、元の接続（ＭＴ１）から新しい接続（ＭＴ２）へと、固定端末内のＭＣ機能を用いて行われる。通信経路のハンドオーバが行われる前の新旧の接続が共存する時間帯は、きわめて短時間で済むものと期待される。
【０３９２】
図２２（ｂ）は、ＭＣ機能を有するゲートキーパーを介して行われるゾーン内通信のありさまを示すブロック図である。この場合は、ＭＣ機能を有する固定端末へと直接通信する場合と類似している。異なる点は、呼を制御しているＭＣ機能付きゲートキーパーはカンファレンスの当初からこれに関わっていることである。固定エンティティと移動体エンティティの間で行われる１対１の呼は、（ＭＣ機能を有する）ゲートキーパーを介して行われ、Ｈ２４５制御チャネルは、通信管理のハンドオーバが行われるのに先立ってゲートキーパーを介して確立される。
【０３９３】
図２４は、Ｈ．３２３固定端末２４０２からＨ．３２３モバイル端末へゲートキーパーを介して通信管理のハンドオーバが行われるときの信号のやり取りを示す図である。ここでは、（ＭＣ機能を有する）固定エンティティと移動エンティティの間でゲートキーパーを介して１対１の呼が行われるものとする。この場合は更に、Ｈ．２４５制御チャネルはゲートキーパーを介して確立されるものとする。ステップ１からステップ１５までは、ゲートキーパーを介さない直接通信の場合と類似している。異なる点は、（ＭＣ機能を有する）ゲートキーパーが、（ＭＣ機能を有する）固定端末に代わって元の接続（ＭＴ１）から新しい接続（ＭＴ２）への通信管理のハンドオーバに関わりを持つことである。
【０３９４】
図２５（ａ）、（ｂ）は、移動エンティティがゾーンの境界の外へと出ていってしまったために、（ａ）ゲートキーパーを介さない通信経路で（ｂ）ゲートキーパーを介してゾーン間で通信管理のハンドオーバが必要になった場合を示している。ここでは、通信経路のハンドオーバが行われる前に固定エンティティと移動エンティティの間で呼が確立されるものとする。ゾーン間の通信経路のハンドオーバは、移動エンティティがひとつのゾーンから別のゾーンへと移動したために必要となる。最初は、移動エンティティ２５０２が別のＨ．３２３エンティティ（固定でも移動でもよい）２５０４と同一のゾーン内で（音声、画像、および／またはデータの）交信する。呼は、ゲートキーパーを介さない通信経路でも、またゲートキーパーを介してもよい。ここで、交信を行っているＨ．３２３エンティティのひとつにはＭＣ機能が備わっていて、通信管理のハンドオーバの際に旧接続から新接続へと切り替えるとき臨時の多点協議を創造することができる。ＭＣは、Ｈ２４５チャネルを用いて接続される。
【０３９５】
以下の説明は、ゲートキーパーを介さない通信経路で又はゲートキーパーを介してのゾーン間での通信管理のハンドオーバに関するものである。再びここで留意すべきことは、この通信管理のハンドオーバを行うには、ＭＣ機能が必要になることである。
【０３９６】
図２５（ａ）は、固定エンティティと移動エンティティの両方がゾーン１内にあり、両者の間で（音声、画像、および／またはデータの）交信が行われるものとし、更に、移動エンティティが一つの場所から別の場所へと移動しているものとする。しかしながら、ここでは固定エンティティはＭＣ機能を備えており、臨時の多点協議を創造することができるものとする。既に述べたように、モバイル端末（ＭＴ）は固定端末（ＦＴ）に対して第１の接続ＭＴ１を指定する。さて、移動エンティティのゾーンにおけるネットワークへの接続点（例えば所与のゾーンにおけるＩＰサブネットワークアドレスのグループ）は、移動エンティティがゾーン１からゾーン２へと移動するにつれて変化する。移動エンティティは、所与のゾーンにおける移動ゲートキーパーから受信したＭＧＡメッセージ（例えばゾーン・レンジ・メッセージ）を調べることにより、ゾーンにおけるネットワークへの接続点の変化を直接検出することができる。
【０３９７】
図２６は、移動エンティティがそのホームゾーン１から訪問中ゾーン（又は外部ゾーン）２へと移動するにつれて行われる通信管理のハンドオーバプロセスを含む信号のやり取りを示す図である。すなわち、ＭＣ機能を有する固定エンティティ２６０２からモバイル端末２６０４へと直接呼が発生する場合におけるゾーン間の通信管理のハンドオーバのための信号のやり取りを示す図である。以下に説明するステップは、新しい接続を確立しつつ古い接続を終了させるゾーン間の通信経路のハンドオーバのための信号のやり取りのステップである。
【０３９８】
ステップ１ａ：ＭＧＡメッセージが、訪問中ゾーン（又は外部ゾーン）のゲートキーパー２から送信される。モバイル端末がこのＭＧＡメッセージを受信することにより、自分が外部ゾーンに向けて移動していることを確認する。モバイル端末が、新しい外部ゾーンに向けて移動したことを確認すると、その訪問ゾーン（又は外部ゾーン）におけるゲートキーパー２に登録することが必要になる。
【０３９９】
ステップ１ｂ：別のやり方としては、もしモバイル端末がＭＧＡメッセージを受信できないときは、ＧＲＱメッセージを発信し、登録すべきゲートキーパーを探す。
【０４００】
ステップ１ｃ：その応答として、ゲートキーパー２はゲートキーパー確認メッセージ（ＧＣＦ）または拒絶メッセージ（ＧＲＪ）を発信する。
【０４０１】
ステップ１ｂおよびステップ１ｃは、移動体エンティティがＭＧＡメッセージを受信できなかったときの代替処理としてとられるものである。
【０４０２】
ステップ２：モバイル端末は、訪問中ゾーン（又は外部ゾーン）のゲートキーパー２に登録するためのＲＲＱメッセージを送信する。このメッセージには、モバイル端末のホームゾーンおよび気付におけるネットワークアドレス（例えばＩＰアドレス）その他の情報を含んでいる。
【０４０３】
ステップ３：訪問中ゾーン（又は外部ゾーン）のゲートキーパー２は、モビリティバインド更新要求メッセージ（ＢｕＲＱ）を移動体エンティティのホームのゲートキーパー１に送信する。
【０４０４】
ステップ４：その応答として、ホームゲートキーパー１は、モビリティバインド確認メッセージ（ＢｕＣＦ）又は拒否メッセージ（ＢｕＲＪ）を発信する。
【０４０５】
ステップ５：訪問中ゾーン（又は外部ゾーン）のゲートキーパー２は、登録確認メッセージ（ＲＣＦ）または拒否メッセージ（ＲＲＪ）をモバイル端末に送信する。
【０４０６】
ステップ６：モバイル端末は、登録確認メッセージ（ＲＣＦ）を受信した後、許可要求メッセージ（ＡＲＱ）を訪問ゾーン（又は外部ゾーン）のゲートキーパー２に、新しいネットワークへの接続ポイントの確立の準備として発信する。
【０４０７】
ステップ７：訪問中ゾーン（又は外部ゾーン）のゲートキーパー２は、許可のための要件を具備しているか否かに基づいて、許可確認メッセージ（ＡＣＦ）又は拒否メッセージ（ＲＲＪ）をモバイル端末に対して送信する。許可確認メッセージ（ＡＣＦ）において、ゲートキーパーは固定端末（ＦＴ）の呼の信号送受信チャネル輸送アドレスを返送する。
【０４０８】
ステップ８：モバイル端末は、固定端末の輸送アドレスを用いた許可確認メッセージ（ＡＣＦ）を受信した後、セットアップ・メッセージを固定端末に送信し、現在進行中のカンファレンス（ＣＩＤ＝Ｋ）に参加する。モバイル端末（ＭＴ１）および固定端末（ＦＴ）間のすでに確立されたカンファレンスに用いられる同一のカンファレンス（ＣＩＤ＝Ｋ）のために、新しい接続（ＭＴ２）を探す。
【０４０９】
ステップ９：固定端末は、呼の対象となっている固定端末が新しい接続（ＭＴ２）により警告を受けていることを示す呼プロシーディング／アラート・メッセージを送信する。
【０４１０】
ステップ１０：固定端末（ＦＴ）は、新しい接続（ＭＴ２）のためのＨ．２４５に基づく信号のやり取りに用いられるＨ．２４５制御チャネル輸送アドレスを含む接続メッセージにより応答する。マルチポイント制御（ＭＣ）を供えた固定端末は、同一のカンファレンス（ＣＩＤ＝Ｋ）における新しい接続（ＭＴ２）の新しい呼と関係をもつ。
【０４１１】
ステップ１１：Ｈ．２４５メッセージ交換が固定端末とモバイル端末との間に起こるが、説明を簡便にするために詳細には立ち入らない。（ＭＣ機能を具備する）固定端末（ＦＴ）と新しい接続（ＭＴ２）に基づくモバイル端末との間のメディアチャネル（音声、画像、および／またはデータ）が開通する。
【０４１２】
ステップ１２：固定端末（ＦＴ）とＭＴ２（モバイル端末の新規な接続）との間に（音声、画像、および／またはデータによる）通信が行われる。
【０４１３】
ステップ１３：モバイル端末は、Ｈ．２４５制御チャネルにおいて、固定端末に対して古い呼（旧接続ＭＴ１）を切断したい旨を意味するエンド・セッション・コマンド・メッセージを発信し、Ｈ．２４５メッセージ伝達を終了する。
【０４１４】
ステップ１４：固定端末は、Ｈ．２４５制御チャネルにおいて、エンド・セッション・コマンド・メッセージにより応答し、古い呼（旧接続ＭＴ１）を終了する。
【０４１５】
ステップ１５：固定端末は、古い呼（旧接続ＭＴ１）が終了したことを意味するリリース完了メッセージを送信する。古い呼（旧接続ＭＴ１）が終了しても、（固定端末（ＦＴ）とモバイル端末の新規な接続（ＭＴ２）との間にカンファレンス（ＣＩＤ＝Ｋ）が存続することに留意されたい。
【０４１６】
ステップ１６：モバイル端末は、Ｈ．２２５．０解除要求メッセージ（ＤＲＱ）をゲートキーパー１に送信し、古い呼（旧接続ＭＴ１）に用いられていたリソースを解放する。
【０４１７】
ステップ１７：ホームゲートキーパー１は、古い呼（旧接続ＭＴ１）に用いられていたリソースを解放してから、Ｈ．２２５．０解放確認メッセージ（ＤＣＦ）または拒否メッセージ（ＤＲＪ）により応答する。
【０４１８】
ゾーン内通信の場合における信号の送受信のやり方と同様に、固定端末とモバイル端末との間にゾーン１とゾーン２にわたって新規な接続（ＭＴ２）が確立する。通信管理のハンドオーバは、旧接続（ＭＴ１）から新接続（ＭＴ２）へと、固定端末内のＭＣ機能を用いて行われる。通信経路のハンドオーバの行われる前の新旧の接続が共存する時間帯は、きわめて短時間で済むものと期待される。
【０４１９】
図２７は、ＭＣ機能を有するゲートキーパー１を介して行われるゾーン内通信のありさまを示すブロック図である。この場合は、ＭＣ機能を有する固定端末へと直接通信する場合と類似している。異なる点は、呼を制御しているＭＣ機能付きゲートキーパーはカンファレンスの当初からこれにかかわっていることである。固定エンティティと移動体エンティティの間で行われる１対１の呼は、（ＭＣ機能を有する）ゲートキーパー１を介して行われ、Ｈ２４５制御チャネルは、通信管理のハンドオーバが行われるのに先立ってゲートキーパー１を介して確立される。
【０４２０】
図２７は、ゲートキーパーを介して通信管理のハンドオーバが行われるときの信号のやり取りを示す図である。ここでは、（ＭＣ機能を有する）固定エンティティと移動体エンティティの間でゲートキーパーを介して１対１の呼が行われるものとする。この場合は更に、Ｈ２４５制御チャネルはゲートキーパー１を介して確立されるものとする。ステップ１からステップ１５までは、ゲートキーパーを介さない直接通信の場合と類似している（図２２）。異なる点は、（ＭＣ機能を有する）ゲートキーパーが、（ＭＣ機能を有する）固定端末に代わって旧接続（ＭＴ１）から新接続（ＭＴ２）への通信管理のハンドオーバに関わりを持つことである。
【０４２１】
以上本発明は、特定の好適な実施例に基づいて説明してきたが、さまざまな変形変更を行うことは当業者にとって容易である。従って本発明の概念はこれらの実施例によって限定的に解釈されるものではなく、請求項によってのみ厳格に解釈されるべきである。
【図面の簡単な説明】
【図１】  本発明による典型的に一般的な、Ｈ．３２３用モビリティアーキテクチャの１つの実施形態のブロック図である。
【図２】  本発明による無線環境内にセルを含む典型的なゾーンのアーキテクチャをを示す概略図である。
【図３】  本発明による無線ＬＡＮおよびワイヤーラインＬＡＮまたはワイヤーラインを含む典型的なゾーンのアーキテクチャをを示す概略図である。
【図４】  本発明によるパケットベースのネットワーク上のリアルタイムモバイルマルチメディア通信および会議用のＨ．３２３ベースのモビリティプロトコルの１つの実施形態のフローチャートである。
【図５】  本発明によるローカルにデータベースを作成するためのステップの１つの実施形態を示すフローチャートである。
【図６】  本発明によるモバイルＨ．３２３ベースの呼を設定するための１つの実施形態を示すフローチャートである。
【図７】  本発明によるパケットベースのネットワーク上でリアルタイムのモバイルマルチメディア通信および会議用のＨ．３２３ベースのモビリティプロトコルを、モバイル端末／ノード／エンティティによって実行するための、コンピュータが実行可能なステップを有するコンピュータが読取り可能な媒体の１つの実施形態を示すブロック図である。
【図８】  本発明によるゾーン内モビリティ管理システムの１つの実施形態を示すブロック図である。
【図９】  本発明によるゾーン間モビリティ管理システムの１つの実施形態を示すブロック図である。
【図１０】  本発明によるゾーン間通信のために登録の間の位置更新動作の１つの実施形態を示すブロック図である。
【図１１】  モバイルエンティティが自分自身ではなく管理ドメイン内にある場合の、本発明によるドメイン間通信のために登録の間の位置更新動作の１つの実施形態を示すブロック図である。
【図１２】  ゾーン、ゲートキーパー（ＧＫ）、およびホーム／ビジター用データベースに対するアーキテクチャの１つの実施形態を示すブロック図である。
【図１３】  本発明に基づいて最適化されたゲートキーパー（ＧＫ）およびゾーンを備えた集中化したホーム位置用データベースのアーキテクチャの１つの実施形態を示すブロック図である。
【図１４】  単一のゾーン内にある全固定式およびモバイルのＨ．３２３用エンティティを示す図である。
【図１５】  固定式エンティティがモバイルエンティティを呼び出した場合の呼のフローを示す図である。
【図１６】  モバイルエンティティが固定式エンティティを呼び出した場合の呼のフローを示す図である。
【図１７】  モバイルエンティティが別のモバイルエンティティを呼び出した場合の呼のフローを示す図である。
【図１８】  固定式およびモバイルエンティティ用のゾーン間通信を示す図である。
【図１９】  ２つの異なったゾーン内に位置した固定式およびモバイルエンティティ間の呼の通信を示す図である。図１９（ａ）は直接通信、図１９（ｂ）はゲートキーパー経由の通信である。
【図２０】  ２つの別個のゾーン内に位置した２つのモバイルエンティティを示す図である。これらのエンティティは、それぞれのホームゾーン内に位置していると仮定する。
【図２１】  モバイルエンティティ間の通信の呼のフローのシナリオを示す図である。これらのエンティティは２つの別個のゾーン内に位置している。図２１（ａ）は直接通信、図２１（ｂ）はゲートキーパー経由の通信である。
【図２２】  ゾーン内ハンドオーバについての状態を示す図である。ここで、呼は直接でもゲートキーパー経由でもよい。
【図２３】  呼のフローを示す図である。これらのフローには、モバイルエンティティがサブネットワーク１からサブネットワーク２に移動する場合、直接的にルート付けされた呼に対するＭＣ能力を備えた固定式エンティティからモバイルエンティティへのゾーン内ハンドオーバが含まれる。
【図２４】  固定式Ｈ．３２３用端末からモバイルＨ．３２３用端末へのゲートキーパー経由のハンドオーバのための呼の通信を示す図である。ここでは、ゲートキーパーはＭＣ能力を備えている。
【図２５】  ゾーン間ハンドオフ（handoff）を示す図である。ハンドオフは、モバイルエンティティがゾーンの境界の外に移動するため、図２５（ａ）直接ルート付けされた呼および図２５（ｂ）ＧＫルート付けされた呼に対して必要とされる。
【図２６】  呼のフローを示す図である。これらのフローは、モバイルエンティティが（そのホーム）ゾーン１から訪問／外部（visiting/foreign）ゾーン２に移動する場合、ハンドオーバを含む。すなわち、ゾーン間ハンドオーバについての呼通信：直接ルート付けされた呼に対するＭＣ能力を備えた固定式エンティティ。
【図２７】  ゾーン間通信を示す図である。ここでは、呼はＭＣ能力を備えたＧＫ１経由でルート付けされる。
【符号の説明】
１０２  Ｈ．３２３用モバイルエンティティ１、１０４  ホーム／外部のゾーン１、１０６  ホーム／外部のＧＫ１、１０８  ホーム／ビジター位置用データベース１、１１０  Ｈ．３２３用モバイルエンティティ２、１１２  ホーム／外部のゾーン３、２０２  Ｈ．３２３用モバイルエンティティ、２１０  ホーム／外部のＧＫ、２１２  ホーム／ビジター位置用データベース。
【図１】
0005097998.tif 000003
【図２】
0005097998.tif 000004
【図３】
0005097998.tif 000005
【図４】
0005097998.tif 000006
【図５】
0005097998.tif 000007
【図６】
0005097998.tif 000008
【図７】
0005097998.tif 000009
【図８】
0005097998.tif 000010
【図９】
0005097998.tif 000011
【図１０】
0005097998.tif 000012
【図１１】
0005097998.tif 000013
【図１２】
0005097998.tif 000014
【図１３】
0005097998.tif 000015
【図１４】
0005097998.tif 000016
【図１５】
0005097998.tif 000017
【図１６】
0005097998.tif 000018
【図１７】
0005097998.tif 000019
【図１８】
0005097998.tif 000020
【図１９】
0005097998.tif 000021
【図２０】
0005097998.tif 000022
【図２１】
0005097998.tif 000023
【図２２】
0005097998.tif 000024
【図２３】
0005097998.tif 000025
【図２４】
0005097998.tif 000026
【図２５】
0005097998.tif 000027
【図２６】
0005097998.tif 000028
【図２７】
0005097998.tif 000029